(57)【特許請求の範囲】
【請求項１】
無線通信システムにおいて端末がチャネル状態情報（ＣＳＩ）を報告する方法であって、
第１のＣＳＩを第１の周期ごとに周期的に報告する第１のＣＳＩプロセスによって、前記第１のＣＳＩを送信するステップと、
第２のＣＳＩを第２の周期ごとに周期的に報告する第２のＣＳＩプロセスによって、前記第２のＣＳＩを送信するステップと、
前記第１のＣＳＩの送信時点と前記第２のＣＳＩの送信時点とが衝突し、前記第１のＣＳＩと前記第２のＣＳＩが同じ優先順位である場合、特定の規則に基づいて、前記第１のＣＳＩ及び前記第２のＣＳＩのいずれか一つの送信を省略するステップと、を有し、
前記特定の規則は、前記第１のＣＳＩ及び前記第２のＣＳＩのうち、最低のＣＳＩプロセスインデックスのＣＳＩプロセスに対応するＣＳＩを除いてＣＳＩを省略するステップとして規定する、方法。
【請求項２】
前記第１のＣＳＩ及び前記第２のＣＳＩは、同一のサービス提供セルに対するＣＳＩである、請求項１に記載の方法。
【請求項３】
前記第１のＣＳＩ及び前記第２のＣＳＩは、チャネル品質指示子（ＣＱＩ）、プリコーディング行列指示子（ＰＭＩ）及びランク指示子（ＲＩ）のうち少なくとも一つを含む、請求項１に記載の方法。
【請求項４】
前記第１のＣＳＩ及び前記第２のＣＳＩは、物理上りリンク制御チャネル（ＰＤＣＣＨ）を通じて送信される、請求項１に記載の方法。
【請求項５】
無線通信システムにおける端末装置であって、
基地局と信号を送受信する無線通信モジュールと、
前記無線通信モジュールに接続し、前記端末の動作を制御するプロセッサと、を備え、
前記プロセッサは、
第１の周期で第１のＣＳＩプロセスによって、第１のＣＳＩを送信し、
第２の周期で第２のＣＳＩプロセスによって、第２のＣＳＩを送信し、
前記第１のＣＳＩの送信と前記第２のＣＳＩの送信とが衝突し、前記第１のＣＳＩと前記第２のＣＳＩが同じ優先順位である場合、特定規則に基づいて、前記第１のＣＳＩ及び前記第２のＣＳＩのいずれか一つの送信を省略する、ように構成され、
前記特定の規則は、前記第１のＣＳＩ及び前記第２のＣＳＩのうち、最低のＣＳＩプロセスインデックスのＣＳＩプロセスに対応するＣＳＩを除いてＣＳＩを省略するステップとして規定する、端末装置。
【請求項６】
前記第１のＣＳＩ及び前記第２のＣＳＩは、同一のサービス提供セルに対するＣＳＩである、請求項５に記載の端末装置。
【請求項７】
前記第１のＣＳＩ及び前記第２のＣＳＩは、チャネル品質指示子（ＣＱＩ）、プリコーディング行列指示子（ＰＭＩ）及びランク指示子（ＲＩ）のうち少なくとも一つを含む、請求項５に記載の端末装置。
【請求項８】
前記第１のＣＳＩ及び前記第２のＣＳＩは、物理上りリンク制御チャネル（ＰＤＣＣＨ）を通じて送信される、請求項５に記載の端末装置。
【請求項９】
前記第１及び第２のＣＳＩプロセスはそれぞれ、独立な報告設定を用いてＣＳＩを報告する動作であり、所望の信号に対する仮定及び干渉信号に対する仮定の組合せによって規定され、
前記所望の信号に対する仮定は、多地点協調（ＣｏＭＰ）送信方式に参加する２つのセルの中の信号を受信すると仮定されたセルを示し、前記干渉信号に対する仮定は、前記ＣｏＭＰ送信方式に参加する前記２つのセルの中で干渉を生じさせると仮定されたセルを示す、請求項５に記載の端末装置。
【請求項１０】
前記ＣＳＩプロセスインデクスは、特定のＣＳＩ報告に用いられるＣＳＩプロセスを示し、最低のＣＳＩプロセスインデクスは、対応するＣＳＩプロセスにおいてＲＩ値を変更できることを示す、請求項５に記載の端末装置。
【発明の詳細な説明】
【技術分野】
【０００１】
本発明は、無線通信システムに関し、特に、無線通信システムにおいてチャネル状態情報（ＣＳＩ）を報告する方法及びそのための装置に関する。
【背景技術】
【０００２】
本発明を適用できる無線通信システムの一例として、第３世代パートナシッププロジェクト（３ＧＰＰ）長期進化通信システム（以下、「ＬＴＥ」という。）について概略的に説明する。
【０００３】
図１は、無線通信システムの一例として進化はん用移動体通信システム（Ｅｖｏｌｖｅｄ  Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ、Ｅ−ＵＭＴＳ）ネットワーク構造を概略的に示す図である。Ｅ−ＵＭＴＳは、既存のＵＭＴＳから進化したシステムであり、現在３ＧＰＰで基礎的な標準化作業が進行中である。一般に、Ｅ−ＵＭＴＳをＬＴＥシステムと呼ぶこともできる。ＵＭＴＳ及びＥ−ＵＭＴＳの技術規格の詳細な内容はそれぞれ、「３ｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ」のＲｅｌｅａｓｅ  ７及びＲｅｌｅａｓｅ  ８を参照されたい。
【０００４】
図１を参照すると、Ｅ−ＵＭＴＳは、端末（Ｕｓｅｒ  Ｅｑｕｉｐｍｅｎｔ、ＵＥ）、基地局（進化ノードＢ、ｅＮＢ）、及びネットワーク（進化はん用地上無線接続網、Ｅ−ＵＴＲＡＮ）の終端に位置して外部ネットワークに接続する接続ゲートウェイ（Ａｃｃｅｓｓ  Ｇａｔｅｗａｙ、ＡＧ）を含んでいる。基地局は、ブロードキャストサービス、マルチキャストサービス及び／又はユニキャストサービスのために複数のデータストリームを同時に送信することができる。
【０００５】
一つの基地局には一つ以上のセルが存在する。セルは、１．２５、２．５、５、１０、１５、２０ＭＨｚなどの帯域幅のいずれか一つに設定され、複数の端末に下り又は上り送信サービスを提供する。別個のセルは、別個の帯域幅を提供するように設定してもよい。基地局は、複数の端末に対するデータ送受信を制御する。下りリンク（ＤＬ）データについて、基地局は下りリンクスケジュール情報を送信して、該当の端末にデータが送信される時間／周波数領域、符号化、データサイズ、ハイブリッド自動再送要求（ＨＡＲＱ）関連情報などを知らせる。また、上りリンク（ＵＬ）データについて、基地局は上りリンクスケジュール情報を該当の端末に送信し、該当の端末が使用可能な時間／周波数領域、符号化、データサイズ、ＨＡＲＱ関連情報などを知らせる。基地局間には、ユーザ情報（トラヒック）又は制御情報の送信のためのインタフェースを用いることができる。コアネットワーク（ＣＮ）は、ＡＧ、端末のユーザ登録などのためのネットワークノード、などで構成することができる。ＡＧは、複数のセルで構成される位置登録エリア（Ｔｒａｃｋｉｎｇ  Ａｒｅａ、ＴＡ）単位に端末の移動性を管理する。
【０００６】
無線通信技術は、ＷＣＤＭＡ（登録商標）に基づいてＬＴＥにまで開発されてきたが、ユーザ及び事業者の要求及び期待は増す一方である。その上、他の無線接続技術の開発が続いており、将来、競争力を持つためには新しい技術進化が要求される。ビット当たりのコストの削減、サービス可用性の増大、柔軟な周波数帯域の使用、単純構造及び開放型インタフェース、端末の適度な電力消耗などが要求される。
【０００７】
端末は、基地局の無線通信システムの効率的な運用を補助するために、現在チャネルの状態情報を基地局に周期的及び／又は非周期的に報告する。このように報告されるチャネルの状態情報は様々な状況を考慮して計算された結果を含むことができるため、より効率的な報告方法が要求されている。
【発明の概要】
【発明が解決しようとする課題】
【０００８】
上述したような議論に基づき、以下では無線通信システムにおいてＣＳＩを報告する方法及びそのための装置を提案する。
【課題を解決するための手段】
【０００９】
本発明の一態様として、無線通信システムにおいて端末がチャネル状態情報（ＣＳＩ）を報告する方法であって、第１のＣＳＩを第１の周期ごとに周期的に報告する第１のＣＳＩプロセスによって第１のＣＳＩを送信するステップと、第２のＣＳＩを第２の周期ごとに周期的に報告する第２のＣＳＩプロセスによって第２のＣＳＩを送信するステップと、第１のＣＳＩの送信時点と第２のＣＳＩの送信時点とが衝突する場合、第１及び第２のＣＳＩプロセスのそれぞれのＣＳＩプロセスインデクスに基づいて第１及び第２のＣＳＩのいずれか一つの送信を省略（ｄｒｏｐ）するステップと、を含む方法が提供される。
【００１０】
好ましくは、省略するステップにおいては、第１及び第２のＣＳＩのうち、ＣＳＩプロセスインデクスが最も低いＣＳＩプロセスに該当する情報を除く、残りのＣＳＩの送信を省略する。
【００１１】
好ましくは、省略するステップは、第１のＣＳＩの送信時点と第２のＣＳＩの送信時点とが衝突する場合、第１のＣＳＩの第１の優先順位と第２のＣＳＩの第２の優先順位とを比較するステップと、第１及び第２の優先順位が同一である場合、第１及び第２のプロセスそれぞれのＣＳＩプロセスインデクスに基づいて、第１及び第２のＣＳＩのうちいずれか一つの送信を省略するステップと、を含むことができる。
【００１２】
本発明の他の態様として、無線通信システムにおいて端末がチャネル状態情報（ＣＳＩ）を報告する端末装置であって、基地局と信号を送受信する無線通信モジュールと、無線通信モジュールに接続し、端末の動作を制御するプロセッサと、を備え、プロセッサは、第１のＣＳＩを第１の周期ごとに周期的に報告する第１のＣＳＩプロセスによって第１のＣＳＩを送信し、第２のＣＳＩを第２の周期ごとに周期的に報告する第２のＣＳＩプロセスによって第２のＣＳＩを送信し、第１のＣＳＩの送信時点と第２のＣＳＩの送信時点とが衝突する場合、第１及び第２のＣＳＩプロセスそれぞれのＣＳＩプロセスインデクスに基づいて、第１及び第２のＣＳＩのいずれか一つの送信を省略するように構成された、端末装置が提供される。
【００１３】
好ましくは、第１及び第２のＣＳＩは、同一のサービス提供セル（ｓｅｒｖｉｎｇ  ｃｅｌｌ）に対するＣＳＩであってもよい。
【００１４】
好ましくは、第１及び第２のＣＳＩは、チャネル品質指示子（ＣＱＩ）、プリコーディング行列指示子（ＰＭＩ）及びランク指示子（ＲＩ）のうち少なくとも一つを含んでもよい。
【００１５】
好ましくは、第１及び第２のＣＳＩは、物理上りリンク制御チャネル（ＰＤＣＣＨ）を通じて送信してもよい。
【発明の効果】
【００１６】
本発明の実施例によれば、無線通信システムにおいてＣＳＩをより効果的に報告することができる。
【００１７】
本発明で得られる効果は、以上に言及した効果に制限されず、言及していない別の効果は、下の記載から、本発明の属する技術の分野における通常の知識を有する者には明確に理解されるであろう。
【図面の簡単な説明】
【００１８】
【図１】無線通信システムの一例としてＥ−ＵＭＴＳネットワーク構造を概略的に例示する図である。
【図２】３ＧＰＰ無線接続ネットワーク規格に基づく端末とＥ−ＵＴＲＡＮとの間の無線インタフェースプロトコルの制御面及びユーザ面構造を例示する図である。
【図３】３ＧＰＰシステムに用いられる物理チャネル及びこれらのチャネルを用いた一般の信号送信方法を例示する図である。
【図４】ＬＴＥシステムで用いられる無線フレームの構造を例示する図である。
【図５】ＬＴＥシステムで用いられる下りリンク無線フレームの構造を例示する図である。
【図６】ＬＴＥシステムで用いられる上りリンクサブフレームの構造を例示する図である。
【図７】一般の多元アンテナ（ＭＩＭＯ）通信システムの構成を例示する図である。
【図８】ＣＳＩの周期的報告について例示する図である。
【図９】ＣＳＩの周期的報告について例示する図である。
【図１０】ＣＳＩの周期的報告について例示する図である。
【図１１】ＣＳＩの周期的報告について例示する図である。
【図１２】非階層的符号表使用時にＣＳＩを周期的に報告する過程を例示する図である。
【図１３】非階層的符号表使用時にＣＳＩを周期的に報告する過程を例示する図である。
【図１４】階層的符号表使用時にＣＳＩを周期的に報告する過程を例示する図である。
【図１５】本発明の一実施例によって、ＣｏＭＰ ＵＥが周期的に広帯域フィードバックをする場合を例示する図である。
【図１６】本発明の一実施例によって、ＣｏＭＰ ＵＥが周期的に広帯域フィードバックをする他の場合を例示する図である。
【図１７】ＣｏＭＰ ＵＥが周期的に広帯域フィードバック及び副帯域フィードバックを同時に行う場合を例示する図である。
【図１８】本発明の一実施例によって、いずれか一つのＣＳＩプロセスでだけＲＩ値を変更できるようにする状況を示す図である。
【図１９】本発明の一実施例によって、いずれか一つのＣＳＩプロセスでだけＲＩ値を変更できるようにする状況の他の例示する図である。
【図２０】本発明の一実施例によって、報告タイプ及び／又はＣＳＩプロセスインデクスによってフィードバック情報送信の優先順位を説明する図である。
【図２１】本発明の一実施例によって、報告タイプ及び／又はＣＳＩプロセスインデクスによってフィードバック情報送信の優先順位を説明する他の図である。
【図２２】本発明の一実施例によって、二つのセル（ＴＰ１及びＴＰ２）が協調してデータを送信するＣｏＭＰ送信状況で、ＵＥが報告できる様々なチャネル情報（フィードバック内容）の種類を示すテーブルである。
【図２３】本発明の一実施例によって、ＣＳＩプロセス別に優先順位を異なるように設定し、優先順位値を設定した例示する図である。
【図２４】本発明の一実施例によって、ＣＳＩプロセスを通じて送信されるチャネル情報の種類によって優先順位及び優先順位値が設定された例示する図である。
【図２５】本発明の一実施例に適用できる基地局及び端末を例示する図である。
【発明を実施するための形態】
【００１９】
以下に添付の図面を参照して説明された本発明の実施例から、本発明の構成、作用及び他の特徴が容易に理解されるであろう。以下に説明される実施例は、本発明の技術的特徴が３ＧＰＰシステムに適用された例である。
【００２０】
本明細書ではＬＴＥシステム及びＬＴＥ-Ａシステムを用いて本発明の実施例を説明するが、これは例示に過ぎず、本発明の実施例は、上述した定義に該当するいかなる通信システムにも適用可能である。また、本明細書は、ＦＤＤ方式を基準にして本発明の実施例について説明するが、これは例示に過ぎず、本発明の実施例をＨ-ＦＤＤ方式又はＴＤＤ方式にも適用できるように変形することは容易である。
【００２１】
図２は、３ＧＰＰ無線接続網規格に基づく端末とＥ-ＵＴＲＡＮとの間の無線インタフェースプロトコルの制御面（ｃｏｎｔｒｏｌ  ｐｌａｎｅ）及びユーザ面（ｕｓｅｒ  ｐｌａｎｅ）の構造を示す図である。制御面とは、端末（ＵＥ）とネットワークとが呼を管理するために用いる制御メッセージが送信される通路のことを意味する。ユーザ面とは、アプリケーション層で生成されたデータ、例えば、音声データ又はインターネットパケットデータなどが送信される通路のことを意味する。
【００２２】
第１層である物理層は、物理チャネルを用いて上位層に情報転送サービス（Ｉｎｆｏｒｍａｔｉｏｎ  Ｔｒａｎｓｆｅｒ  Ｓｅｒｖｉｃｅ）を提供する。物理層は、上位の媒体接続制御（Ｍｅｄｉｕｍ  Ａｃｃｅｓｓ  Ｃｏｎｔｒｏｌ）層とは伝送チャネル（Ｔｒａｎｓｐｏｒｔ  Ｃｈａｎｎｅｌ）を介して接続されている。該伝送チャネルを通じて媒体接続制御層と物理層との間にデータが移動する。送信側の物理層と受信側の物理層との間には物理チャネルを通じてデータが移動する。該物理チャネルは、時間及び周波数を無線リソースとして活用する。具体的には、物理チャネルは、下りリンクにおいて直交周波数分割多元接続（ＯＦＤＭＡ）方式で変調され、上りリンクにおいて単一搬送波周波数分割多元接続（ＳＣ−ＦＤＭＡ）方式で変調される。
【００２３】
第２層の媒体接続制御（ＭＡＣ）層は、論理チャネルを通じて、上位層である無線リンク制御（ＲＬＣ）層にサービスを提供する。第２層のＲＬＣ層は、信頼できるデータ伝送をサポートする。ＲＬＣ層の機能は、ＭＡＣ内部の機能ブロックとして具現してもよい。第２層のパケットデータ融合プロトコル（Ｐａｃｋｅｔ  Ｄａｔａ  Ｃｏｎｖｅｒｇｅｎｃｅ  Ｐｒｏｔｏｃｏｌ、ＰＤＣＰ）層は、帯域幅の狭い無線インタフェースでＩＰｖ４又はＩＰｖ６のようなＩＰパケットを効率的に送信するために、余分の制御情報を減らすヘッダ圧縮機能を果たす。
【００２４】
第３層の最下部に位置する無線リソース制御（ＲＲＣ）層は、制御面にだけ定義される。ＲＲＣ層は、無線ベアラの設定、再設定（Ｒｅ−ｃｏｎｆｉｇｕｒａｔｉｏｎ）及び解放（Ｒｅｌｅａｓｅ）に関連して論理チャネル、伝送チャネル及び物理チャネルの制御を担当する。無線ベアラ（ＲＢ）とは、端末とネットワークとの間のデータ伝達のために第２層によって提供されるサービスのことを意味する。そのために、端末のＲＲＣ層とネットワークのＲＲＣ層とはＲＲＣメッセージを交換する。端末のＲＲＣ層とネットワークのＲＲＣ層との間にＲＲＣ接続がある場合、端末はＲＲＣ接続状態（Ｃｏｎｎｅｃｔｅｄ  Ｍｏｄｅ）にあり、そうでない場合は、ＲＲＣ休止状態（Ｉｄｌｅ  Ｍｏｄｅ）にある。ＲＲＣ層の上位にある非接続層（Ｎｏｎ−Ａｃｃｅｓｓ  Ｓｔｒａｔｕｍ、ＮＡＳ）層は、セッション管理、移動性管理などの機能を果たす。
【００２５】
基地局（ｅＮＢ）を構成する一つのセルは、１．２５、２．５、５、１０、１５、２０ＭＨｚなどの帯域幅のいずれか一つに設定され、複数の端末に下り又は上り送信サービスを提供する。別個のセルは別個の帯域幅を提供するように設定してもよい。
【００２６】
ネットワークから端末にデータを送信する下り伝送チャネルとしては、システム情報を送信する同報チャネル（ＢＣＨ）、呼出し（ｐａｇｉｎｇ）メッセージを送信する呼出しチャネル（ＰＣＨ）、ユーザ情報又は制御メッセージを送信する下り共有チャネル（ＤＬ−ＳＣＨ）などがある。下りマルチキャスト又はブロードキャストサービスの情報又は制御メッセージは、下りＳＣＨを通じて送信してもよいし、別の下りマルチキャストチャネル（ＭＣＨ）を通じて送信してもよい。一方、端末からネットワークにデータを送信する上り伝送チャネルとしては、初期制御メッセージを送信するランダム接続チャネル（ＲＡＣＨ）、ユーザ情報又は制御メッセージを送信する上り共有チャネル（ＵＬ−ＳＣＨ）がある。伝送チャネルの上位に存在し、伝送チャネルに対応付けられる論理チャネルとしては、同報制御チャネル（ＢＣＣＨ）、呼出し制御チャネル（ＰＣＣＨ）、共通制御チャネル（ＣＣＣＨ）、マルチキャスト制御チャネル（ＭＣＣＨ）、マルチキャスト情報チャネル（Ｍｕｌｔｉｃａｓｔ  Ｔｒａｆｆｉｃ  Ｃｈａｎｎｅｌ、ＭＴＣＨ）などがある。
【００２７】
図３は、３ＧＰＰシステムに用いられる物理チャネル及びこれらのチャネルを用いた一般の信号伝送方法を説明するための図である。
【００２８】
端末は、電源が入ったり、新しくセルに進入したりした場合に、基地局と同期を取る等の初期セル探索作業を行う（Ｓ３０１）。そのために、端末は、基地局から１次同期チャネル（Ｐ−ＳＣＨ）及び２次同期チャネル（Ｓ−ＳＣＨ）を受信して基地局と同期を取り、セルＩＤなどの情報を取得することができる。その後、端末は、基地局から物理同報チャネルを受信し、セル内同報情報を取得することができる。一方、端末は、初期セル探索段階で、下りリンク参照信号（ＤＬ ＲＳ）を受信し、下りリンクチャネル状態を確認することができる。
【００２９】
初期セル探索を終えた端末は、物理下りリンク制御チャネル（ＰＤＣＣＨ）、及び該ＰＤＣＣＨに載せられた情報に基づいて物理下りリンク共有チャネル（ＰＤＳＣＨ）を受信することによって、より具体的なシステム情報を取得することができる（Ｓ３０２）。
【００３０】
一方、基地局に最初に接続したか、又は信号送信のための無線リソースがない場合、端末は基地局にランダム接続手順（ＲＡＣＨ）を行うことができる。（Ｓ３０３乃至Ｓ３０６）。そのために、端末は、物理ランダム接続チャネル（ＰＲＡＣＨ）を通じて特定シーケンスをプリアンブルとして送信し（Ｓ３０３及びＳ３０５）、ＰＤＣＣＨ及び対応するＰＤＳＣＨを通じて、プリアンブルに対する応答メッセージを受信することができる（Ｓ３０４及びＳ３０６）。競合ベースのＲＡＣＨについては、競合解決手順を更に行うことができる。
【００３１】
上述の手順を行った端末は、以降、一般的な上りリンク／下りリンク信号送信手順として、ＰＤＣＣＨ／ＰＤＳＣＨ受信（Ｓ３０７）、及び物理上りリンク共有チャネル（ＰＵＳＣＨ）／物理上りリンク制御チャネル（ＰＵＣＣＨ）送信（Ｓ３０８）を行うことができる。特に、端末はＰＤＣＣＨを通じて下りリンク制御情報（ＤＣＩ）を受信する。ここで、ＤＣＩは、端末に対するリソース割当情報のような制御情報を含んでおり、その使用目的によってフォーマットが異なっている。
【００３２】
一方、端末が上りリンクを通じて基地局に送信するか、又は端末が基地局から受信する制御情報としては、下りリンク／上りリンク肯定応答／否定応答（ＡＣＫ／ＮＡＣＫ）信号、ＣＱＩ、ＰＭＩ、ＲＩなどを含む。３ＧＰＰ  ＬＴＥシステムでは、端末は、これらのＣＱＩ／ＰＭＩ／ＲＩなどの制御情報をＰＵＳＣＨ及び／又はＰＵＣＣＨを通じて送信してもよい。
【００３３】
図４は、ＬＴＥシステムで用いられる無線フレームの構造を例示する図である。
【００３４】
図４を参照すると、無線フレームは１０ｍｓ（３２７２００×Ｔs）の長さを有し、１０個の均等なサイズのサブフレームで構成されている。それぞれのサブフレームは１ｍｓの長さを有し、２個のスロットで構成されている。それぞれのスロットは０．５ｍｓ（１５３６０×Ｔs）の長さを有する。ここで、Ｔsはサンプリング時間を表し、Ｔs＝１／（１５ｋＨｚ×２０４８）＝３．２５５２×１０-8（約３３ｎｓ）で表示される。スロットは時間領域において複数のＯＦＤＭシンボルを含み、周波数領域において複数のリソースブロック（ＲＢ）を含む。ＬＴＥシステムにおいて一つのリソースブロックは１２個の副搬送波×７（６）個のＯＦＤＭシンボルを含む。データが送信される単位時間である送信時間間隔（Ｔｒａｎｓｍｉｓｓｉｏｎ  Ｔｉｍｅ  Ｉｎｔｅｒｖａｌ、ＴＴＩ）は、一つ以上のサブフレーム単位に定めることができる。上述した無線フレームの構造は例示に過ぎず、無線フレームに含まれるサブフレームの数、サブフレームに含まれるスロットの数、又はスロットに含まれるＯＦＤＭシンボルの数は様々に変更してもよい。
【００３５】
図５は、下りリンク無線フレームにおいて一つのサブフレームの制御領域に含まれる制御チャネルを例示する図である。
【００３６】
図５を参照すると、サブフレームは１４個のＯＦＤＭシンボルで構成されている。サブフレーム設定によって先頭の１乃至３個のＯＦＤＭシンボルは制御領域として用いられ、残り１３〜１１個のＯＦＤＭシンボルはデータ領域として用いられる。同図で、Ｒ１乃至Ｒ４は、アンテナ０乃至３に対する参照信号（ＲＳ）（又はパイロット信号）を表す。ＲＳは、制御領域及びデータ領域を問わず、サブフレーム内に一定のパターンで固定される。制御チャネルは、制御領域においてＲＳが割り当てられていないリソースに割り当てられ、情報チャネルもデータ領域においてＲＳが割り当てられていないリソースに割り当てられる。制御領域に割り当てられる制御チャネルには、物理制御フォーマット指示子チャネル（ＰＣＦＩＣＨ）、物理ＨＡＲＱ指示子チャネル（ＰＨＩＣＨ）、ＰＤＣＣＨなどがある。
【００３７】
ＰＣＦＩＣＨは、サブフレームごとにＰＤＣＣＨに用いられるＯＦＤＭシンボルの個数を端末に知らせる。ＰＣＦＩＣＨは、最初のＯＦＤＭシンボルに位置し、ＰＨＩＣＨ及びＰＤＣＣＨに優先して設定される。ＰＣＦＩＣＨは４個のリソース要素グループ（ＲＥＧ）で構成され、それぞれのＲＥＧはセルＩＤ（Ｃｅｌｌ  ＩＤｅｎｔｉｔｙ）に基づいて制御領域内に分散される。一つのＲＥＧは４個のリソース要素（ＲＥ）で構成される。ＲＥは、１副搬送波×１ ＯＦＤＭシンボルと定義される最小物理リソースを表す。ＰＣＦＩＣＨ値は帯域幅によって１〜３又は２〜４の値を指示し、４相位相偏移変調（ＱＰＳＫ）で変調される。
【００３８】
ＰＨＩＣＨは、上りリンク送信に対するＨＡＲＱ ＡＣＫ／ＮＡＣＫを搬送するために用いられる。すなわち、ＰＨＩＣＨは、ＵＬ ＨＡＲＱのためのＤＬ ＡＣＫ／ＮＡＣＫ情報が送信されるチャネルを表す。ＰＨＩＣＨは、１個のＲＥＧで構成され、セル特定（ｃｅｌｌ−ｓｐｅｃｉｆｉｃ）にスクランブルされる。ＡＣＫ／ＮＡＣＫは１ビットで指示され、２相位相偏移変調（ＢＰＳＫ）で変調される。変調されたＡＣＫ／ＮＡＣＫは拡散係数（Ｓｐｒｅａｄｉｎｇ  Ｆａｃｔｏｒ、ＳＦ）＝２又は４で拡散される。同一のリソースにマップされる複数のＰＨＩＣＨは、ＰＨＩＣＨグループを構成する。ＰＨＩＣＨグループに多重化されるＰＨＩＣＨの個数は、拡散符号の個数によって決定される。ＰＨＩＣＨ（グループ）は周波数領域及び／又は時間領域においてダイバシチ利得を得るために３回反復される。
【００３９】
ＰＤＣＣＨは、サブフレームにおける先頭のｎ個のＯＦＤＭシンボルに割り当てられる。ここで、ｎは１以上の整数で、ＰＣＦＩＣＨによって指示される。ＰＤＣＣＨは一つ以上のＣＣＥで構成される。ＰＤＣＣＨは、伝送チャネルであるＰＣＨ及びＤＬ−ＳＣＨのリソース割当に関する情報、上りリンクスケジュール許可（Ｕｐｌｉｎｋ  Ｓｃｈｅｄｕｌｉｎｇ  Ｇｒａｎｔ）、ＨＡＲＱ情報などを各端末又は端末グループに知らせる。ＰＣＨ及びＤＬ−ＳＣＨはＰＤＳＣＨを通じて送信される。したがって、基地局及び端末はそれぞれ、特定の制御情報又は特定のサービスデータ以外は一般に、ＰＤＳＣＨを通じてデータを送信及び受信する。
【００４０】
ＰＤＳＣＨのデータがいずれの端末（一つ又は複数の端末）に送信されるものか、これら端末がどのようにＰＤＳＣＨデータを受信して復号しなければならないかに関する情報などは、ＰＤＣＣＨに含められて送信される。例えば、特定ＰＤＣＣＨが「Ａ」という無線網一時識別情報（Ｒａｄｉｏ  Ｎｅｔｗｏｒｋ  Ｔｅｍｐｏｒａｒｙ  Ｉｄｅｎｔｉｔｙ、ＲＮＴＩ）でＣＲＣマスクされており、「Ｂ」という無線リソース（例えば、周波数位置）及び「Ｃ」というＤＣＩフォーマット、すなわち、伝送形式情報（例えば、伝送ブロックサイズ、変調方式、符号化情報など）を用いて送信されるデータに関する情報が特定サブフレームで送信されると仮定する。この場合、セル内の端末は、自身が持っているＲＮＴＩ情報を用いてＰＤＣＣＨをモニタし、「Ａ」のＲＮＴＩを持っている一つ以上の端末があると、これらの端末はＰＤＣＣＨを受信し、受信したＰＤＣＣＨの情報に基づいて「Ｂ」及び「Ｃ」によって指示されるＰＤＳＣＨを受信する。
【００４１】
図６は、ＬＴＥシステムで用いられる上りリンクサブフレームの構造を示す図である。
【００４２】
図６を参照すると、上りリンクサブフレームは、制御情報を搬送するＰＵＣＣＨが割り当てられる領域と、ユーザデータを搬送するＰＵＳＣＨが割り当てられる領域とに区別される。サブフレームにおいて中間部分がＰＵＳＣＨに割り当てられ、周波数領域においてデータ領域の両側部分がＰＵＣＣＨに割り当てられる。ＰＵＣＣＨ上で送信される制御情報は、ＨＡＲＱに用いられるＡＣＫ／ＮＡＣＫ、下りリンクチャネル状態を示すＣＱＩ、ＭＩＭＯのためのＲＩ、上りリンクリソース割当要求であるスケジュール要求（ＳＲ）などがある。一つの端末に対するＰＵＣＣＨは、サブフレーム内の各スロットで互いに異なる周波数を占める一つのリソースブロックを使用する。すなわち、ＰＵＣＣＨに割り当てられる２個のリソースブロックは、スロット境界で周波数ホップする。特に、図６は、ｍ＝０のＰＵＣＣＨ、ｍ＝１のＰＵＣＣＨ、ｍ＝２のＰＵＣＣＨ、ｍ＝３のＰＵＣＣＨがサブフレームに割り当てられる例を示している。
【００４３】
以下、ＭＩＭＯシステムについて説明する。多入力多出力（Ｍｕｌｔｉｐｌｅ−Ｉｎｐｕｔ  Ｍｕｌｔｉｐｌｅ−Ｏｕｔｐｕｔ、ＭＩＭＯ）は、複数の送信アンテナ及び複数の受信アンテナを使用する方法であり、この方法によってデータの送受信効率を向上させることができる。すなわち、無線通信システムの送信端又は受信端で複数のアンテナを使用することによって容量を増大させ、性能を向上させることができる。以下、本明細書においてはＭＩＭＯを「多元アンテナ」と呼ぶことがある。
【００４４】
多元アンテナ技術では、一つの全体メッセージを受信するために単一のアンテナ経路に依存しない。その代わりに、複数のアンテナに受信されたデータ断片（ｆｒａｇｍｅｎｔ）をまとめて併合することによってデータを完成する。多元アンテナ技術を用いると、特定のサイズのセル領域内でデータ伝送速度を向上させたり、又は特定のデータ伝送速度を保証しつつ、システムサービス範囲（ｃｏｖｅｒａｇｅ）を増加させたりすることができる。また、この技術は、移動通信端末及び中継器などに幅広く使用することができる。多元アンテナ技術によれば、単一のアンテナを使用していた従来技術による移動体通信における伝送量の限界を克服することができる。
【００４５】
一般の多元アンテナ（ＭＩＭＯ）通信システムの構成図が、図７に示されている。送信端では送信アンテナがＮT個設けられており、受信端では受信アンテナがＮR個設けられている。このように送信端及び受信端の両方とも複数のアンテナを使用する場合は、送信端又は受信端のいずれか一方だけ複数のアンテナを使用する場合に比べて、理論的なチャネル伝送容量がより増加する。チャネル伝送容量の増加はアンテナの数に比例する。これによって、伝送レートが向上し、周波数効率が向上する。１個のアンテナを使用する場合の最大伝送レートをＲoとすれば、多元アンテナを使用する場合の伝送レートは、理論的に、次の式１のように、最大伝送レートＲoにレート増加率Ｒiを乗じた分だけ増加可能になる。ここで、Ｒiは、ＮT及びＮRのうち、小さい値を表す。
【００４６】
【数１】
0005940178.tif 000002
【００４７】
例えば、４個の送信アンテナ及び４個の受信アンテナを用いるＭＩＭＯ通信システムでは、単一アンテナシステムに比べて理論上、４倍の伝送レートを獲得することができる。このような多元アンテナシステムの理論的容量増加が９０年代半ばに証明されて以来、実質的にデータ伝送速度を向上させるための種々の技術が現在まで活発に研究されており、そのいくつかの技術は既に第３世代移動体通信及び次世代無線ＬＡＮなどの様々な無線通信の標準に反映されている。
【００４８】
現在までの多元アンテナ関連研究動向をみると、様々なチャネル環境及び多重接続環境における多元アンテナ通信容量計算などに関連した情報理論側面の研究、多元アンテナシステムの無線チャネル測定及びモデル導出の研究、及び伝送信頼度の向上及び伝送速度の向上のための時空間信号処理技術の研究などを含め、様々な観点で活発に研究が進められている。
【００４９】
多元アンテナシステムにおける通信方法をより具体的な方法で説明するために、それを数学的にモデル化すると、次のように示すことができる。図７に示すように、ＮT個の送信アンテナ及びＮR個の受信アンテナが存在するとする。まず、送信信号について説明すると、ＮT個の送信アンテナがある場合に、送信可能な最大情報はＮT個であるため、送信情報を次の式２のようなベクトルで示すことができる。
【００５０】
【数２】
0005940178.tif 000003
【００５１】
一方、それぞれの送信情報Ｓ１，Ｓ２，・・・，ＳＮＴにおいて送信電力を別々にすることができ、このとき、それぞれの送信電力をＰ１，Ｐ２，・・・，ＰＮＴとする場合、送信電力の調整された送信情報をベクトルで示すと、次の式３のとおりである。
【００５２】
【数３】
0005940178.tif 000004
【００５３】
また、ｈａｔ−Ｓを送信電力の対角行列Ｐを用いて示すと、次の式４のとおりである。
【００５４】
【数４】
0005940178.tif 000005
【００５５】
一方、送信電力の調整された情報ベクトルｈａｔ−Ｓに加重行列Ｗが適用されて、実際に送信されるＮT個の送信信号ｘ１，ｘ２，・・・，ｘＮＴが構成される場合を検討する。ここで、加重行列は、送信情報を送信チャネル状況などに応じて各アンテナに適切に分配する役割を果たす。このような送信信号ｘ１，ｘ２，・・・，ｘＮＴは、ベクトルＸを用いて次の式５のように示すことができる。ここで、Ｗｉｊは、ｉ番目の送信アンテナとｊ番目の情報との間の加重値を意味する。Ｗは、加重行列又はプリコーディング行列と呼ばれる。
【００５６】
【数５】
0005940178.tif 000006
【００５７】
一般に、チャネル行列のランク（ｒａｎｋ）は、物理的には与えられたチャネルで送信できる別個の情報の最大数を意味する。したがって、チャネル行列のランクは、互いに独立した行又は列の個数のうち、最小個数と定義され、よって、行列のランクは、行又は列の個数よりも大きくなることはない。数式的に例を挙げると、チャネル行列Ｈのランク（ｒａｎｋ(Ｈ)）は、式６のように制限される。
【００５８】
【数６】
0005940178.tif 000007
【００５９】
また、多元アンテナ技術を用いて送る別個の情報のそれぞれを「送信ストリーム」、又は単に「ストリーム」と呼ぶこととする。このような「ストリーム」はレイヤと呼ぶこともできる。そのため、送信ストリームの個数は当然ながら、送信できる別個の情報の最大数であるチャネルのランクよりも大きくなることがない。したがって、チャネル行列Ｈは、次の式７のように示すことができる。
【００６０】
【数７】
0005940178.tif 000008
【００６１】
ここで、「＃ ｏｆ ｓｔｒｅａｍｓ」は、ストリームの数を表す。一方、ここで、１個のストリームは１個以上のアンテナから送信してもよいということに留意されたい。
【００６２】
１個以上のストリームを複数のアンテナに対応させる様々な方法が存在する。この方法を、多元アンテナ技術の種類によって次のように説明することができる。１個のストリームが複数のアンテナから送信される場合は空間ダイバシチ方式といえ、複数のストリームが複数のアンテナから送信される場合は空間マルチプレクシング方式といえる。もちろん、これらの中間方式である、空間ダイバシチと空間マルチプレクシングとを混合（Ｈｙｂｒｉｄ）した形態も可能である。
【００６３】
以下、チャネル状態情報（ＣＳＩ）報告に関して説明する。現在のＬＴＥ標準では、ＣＳＩ無しで運用される開ループＭＩＭＯと、ＣＳＩに基づいて運用される閉ループＭＩＭＯという２種類の送信方式が存在する。特に、閉ループＭＩＭＯでは、ＭＩＭＯアンテナの多重化利得を得るために、基地局及び端末はそれぞれ、ＣＳＩに基づいてビーム形成を行うことができる。基地局はＣＳＩを端末から得るために、端末にＰＵＣＣＨ又はＰＵＳＣＨを割り当てて、下りリンク信号に対するＣＳＩをフィードバックするように命令する。
【００６４】
ＣＳＩは、ＲＩ、ＰＭＩ、ＣＱＩの３種の情報に大別される。まず、ＲＩは、上述したとおり、チャネルのランク情報を示し、端末が同一の周波数・時間リソースを通じて受信できるストリームの個数を意味する。また、ＲＩはチャネルの長期フェージング（ｌｏｎｇ  ｔｅｒｍ  ｆａｄｉｎｇ）によって決定されるため、通常、ＰＭＩ、ＣＱＩ値に比べてより長い周期で基地局にフィードバックされる。
【００６５】
次に、ＰＭＩは、チャネルの空間特性を反映した値であり、信号対干渉及びノイズ比（ＳＩＮＲ）などの計量（ｍｅｔｒｉｃ）を基準に、端末が好む基地局のプリコーディング行列インデクスを示す。最後に、ＣＱＩは、チャネルの強度を示す値であり、通常、基地局がＰＭＩを用いたときに得られる受信ＳＩＮＲを意味する。
【００６６】
ＬＴＥ−Ａ標準のようなより進歩した通信システムでは、多ユーザＭＩＭＯ（ＭＵ−ＭＩＭＯ）を用いて更なる多ユーザダイバシチを得ることが追加された。ＭＵ−ＭＩＭＯではアンテナ領域で多重化される端末同士の干渉が存在するため、ＣＳＩ正確性の有無は、ＣＳＩを報告した端末だけでなく、多重化される他の端末の干渉にも大きな影響を及ぼすことがある。そのため、ＭＵ−ＭＩＭＯではＳＵ−ＭＩＭＯに比べてより正確なＣＳＩ報告が要求される。
【００６７】
そこで、ＬＴＥ−Ａ標準では最終ＰＭＩを、長期及び／又は広帯域（ＷＢ）ＰＭＩであるＷ１と、短期及び／又は副帯域（ｓｕｂ−ｂａｎｄ、ＳＢ）ＰＭＩであるＷ２との二つに分けて設計することが決定された。
【００６８】
上記Ｗ１及びＷ２の情報から一つの最終ＰＭＩを構成する階層的符号表変換（ｈｉｅｒａｒｃｈｉｃａｌ  ｃｏｄｅｂｏｏｋ  ｔｒａｎｓｆｏｒｍａｔｉｏｎ）方式の例示として、次の式８のようにチャネルの長期共分散行列を用いることができる。
【００６９】
【数８】
0005940178.tif 000009
【００７０】
式８において、Ｗ２は、短期ＰＭＩで、短期ＣＳＩを反映するために構成された符号表の符号語を表し、Ｗは、最終符号表の符号語（言い換えると、プリコーディング行列）を表し、ｎｏｒｍ（Ａ）は、行列Ａの各列のノルムが１に正規化された行列を意味する。
【００７１】
既存のＷ１及びＷ２の具体的な構造は、式９のとおりである。
【００７２】
【数９】
0005940178.tif 000010
【００７３】
ここで、ＮTは、送信アンテナの個数を表し、Ｍは、行列Ｘiの列の個数を表し、行列Ｘiには合計Ｍ個の候補列ベクトルがあることを意味する。ｅMk、ｅMl、ｅMmは、Ｍ個の要素のうち、それぞれｋ番目、ｌ番目、ｍ番目の要素だけが１であり、残りは０である列ベクトルであって、Ｘiのｋ番目、ｌ番目、ｍ番目の列ベクトルを表す。αｊ，βｊ及びγｊはいずれも、単位ノルムを有する複素値であって、それぞれ、行列Ｘiのｋ番目、ｌ番目、ｍ番目の列ベクトルを選び出すときにその列ベクトルに位相回転を適用することを表す。ｉは、０以上の整数であって、Ｗ１を指示するＰＭＩインデクスを表す。ｊは、０以上の整数であって、Ｗ２を指示するＰＭＩインデクスを表す。
【００７４】
式９において、符号語は、交差偏波アンテナを使用し、アンテナ間の間隔がちゅう密な場合、例えば、通常、隣接アンテナ間の距離が信号波長の半分以下の場合に、発生するチャネルの相関特性を反映して設計されている。交差偏波アンテナの場合、アンテナを水平アンテナグループと垂直アンテナグループとに区別でき、各アンテナグループは均一線形配列（ｕｎｉｆｏｒｍ  ｌｉｎｅａｒ  ａｒｒａｙ、ＵＬＡ）アンテナの特性を有し、両アンテナグループは共設（ｃｏ−ｌｏｃａｔｅｄ）される。
【００７５】
したがって、各グループのアンテナ間相関は、同一の線形位相増加特性を有し、アンテナグループ間相関は位相回転された特性を有する。結局、符号表はチャネルを量子化した値であるため、チャネルの特性をそのまま反映して符号表を設計することが必要である。説明の便宜のために、上述した構造で作ったランク１符号語を式１０のように例示することができる。
【００７６】
【数１０】
0005940178.tif 000011
【００７７】
式１０において、符号語は、ＮT（送信アンテナの個数）Ｓ１のベクトルで表現され、それぞれが水平アンテナグループ及び垂直アンテナグループの相関特性を示す、上位ベクトルＸｉ（ｋ）及び下位ベクトルαｊＸｉ（ｋ）に構造化されている。Ｘｉ（ｋ）は、各アンテナグループのアンテナ間相関特性を反映して、線形位相増加特性を有するベクトルで表現することが有利であり、代表の例として離散フーリエ変換（ＤＦＴ）行列を用いることができる。
【００７８】
前述したように、ＬＴＥシステムにおいてチャネル状態情報（ＣＳＩ）はこれに制限されるものではないが、ＣＱＩ、ＰＭＩ、ＲＩなどを含み、各端末の送信モードによってＣＱＩ、ＰＭＩ、ＲＩがすべて送信されることもあるし、その一部だけが送信されることもある。ＣＳＩが周期的に送信される場合を周期的報告（ｐｅｒｉｏｄｉｃ  ｒｅｐｏｒｔｉｎｇ）といい、ＣＳＩが基地局の要求によって送信される場合を非周期的報告（ａｐｅｒｉｏｄｉｃ  ｒｅｐｏｒｔｉｎｇ）という。非周期的報告の場合、基地局からの上りリンクスケジュール情報に含まれている要求ビットが端末に送信される。その後、端末は、自身の送信モードを考慮したＣＳＩを上りリンクデータチャネル（ＰＵＳＣＨ）を通じて基地局に伝達する。周期的報告の場合、端末ごとに上位層信号を通じて半静的方式によって周期及び当該周期でのオフセットなどがサブフレーム単位に信号通知される。各端末は、送信モードを考慮したＣＳＩを定められた周期で上りリンク制御チャネル（ＰＵＣＣＨ）を通じて基地局に伝達する。ＣＳＩを送信するサブフレームに上りリンクデータが同時に存在するときは、ＣＳＩはデータと共に上りリンクデータチャネル（ＰＵＳＣＨ）を通じて送信される。基地局は、各端末のチャネル状況及びセル内の端末分布状況などを考慮して、各端末に適した送信タイミング情報を端末に送信する。送信タイミング情報は、ＣＳＩを送信するための周期、オフセットなどを含み、ＲＲＣメッセージを通じて各端末に送信することができる。
【００７９】
図８乃至図１１は、ＬＴＥでＣＳＩの周期的報告についての例示である。
【００８０】
図８を参照すると、ＬＴＥシステムには４つのＣＱＩ報告モードが存在する。具体的には、ＣＱＩ報告モードは、ＣＱＩフィードバックタイプによってＷＢ ＣＱＩとＳＢ ＣＱＩとに分けられ、ＰＭＩ送信の有無によって、ＰＭＩ無し（Ｎｏ ＰＭＩ）と単一（ｓｉｎｇｌｅ）ＰＭＩとに分けられる。各端末はＣＱＩを周期的に報告するために、周期とオフセットとの組合せで構成された情報を、ＲＲＣ信号通知を通じて受信する。
【００８１】
図９は、端末が、｛周期「５」、オフセット「１」｝を示す情報を信号通知された場合にＣＳＩを送信する例を示す。図９を参照すると、周期「５」、オフセット「１」を示す情報を受信した場合に、端末は、０番サブフレームからサブフレームインデクスの増加方向に１サブフレームのオフセットをおいて、５個のサブフレーム単位にＣＳＩを送信する。ＣＳＩは基本的にＰＵＣＣＨを通じて送信されるが、同一時点にデータ送信のためのＰＵＳＣＨが存在するときは、ＣＳＩはＰＵＳＣＨを通じてデータと共に送信される。サブフレームインデクスはシステムフレーム番号（又は、無線フレームインデクス）（ｎf）とスロットインデクス（ｎs、０〜１９）との組合せからなる。サブフレームは２個のスロットからなるため、サブフレームインデクスは１０＊ｎf＋ｆｌｏｏｒ（ｎs／２）で定義できる。ｆｌｏｏｒ（）は、床関数を表す。
【００８２】
ＷＢ ＣＱＩだけを送信するタイプとＷＢ ＣＱＩ及びＳＢ ＣＱＩの両方を送信するタイプとがある。ＷＢ ＣＱＩだけを送信するタイプは、毎ＣＱＩ送信周期に該当するサブフレームで全体帯域に対するＣＱＩ情報を送信する。一方、図８のように、ＰＭＩフィードバックタイプによってＰＭＩも送信しなければならない場合は、ＰＭＩ情報をＣＱＩ情報と併せて送信する。ＷＢ ＣＱＩ及びＳＢ ＣＱＩの両方を送信するタイプの場合、ＷＢ ＣＱＩとＳＢ ＣＱＩは交互に送信される。
【００８３】
図１０は、システム帯域が１６個のＲＢで構成されたシステムを例示する。この場合、システム帯域は２個の帯域幅部分（Ｂａｎｄｗｉｄｔｈ  Ｐａｒｔ、ＢＰ）で構成され（ＢＰ０、ＢＰ１）、それぞれのＢＰは２個のＳＢで構成され（ＳＢ０、ＳＢ１）、それぞれのＳＢは４個のＲＢで構成されると仮定する。この仮定は説明のための例示であり、システム帯域のサイズによってＢＰの個数及び各ＳＢのサイズは変えてもよい。また、ＲＢの個数、ＢＰの個数及びＳＢのサイズによって、それぞれのＢＰを構成するＳＢの個数も変えてよい。
【００８４】
ＷＢ ＣＱＩ及びＳＢ ＣＱＩの両方を送信するタイプの場合、最初のＣＱＩ送信サブフレームでＷＢ ＣＱＩを送信し、次のＣＱＩ送信サブフレームではＢＰ０に属したＳＢ０とＳＢ１のうち、チャネル状態の良いＳＢに対するＣＱＩと、当該ＳＢのインデクス（例えば、副帯域選択指示子（Ｓｕｂｂａｎｄ  Ｓｅｌｅｃｔｉｏｎ  Ｉｎｄｉｃａｔｏｒ、ＳＳＩ））とを送信する。その後、次のＣＱＩ送信サブフレームでは、ＢＰ１に属したＳＢ０及びＳＢ１のうちチャネル状態の良いＳＢに対するＣＱＩと当該ＳＢのインデクスとを送信する。このように、ＷＢ ＣＱＩを送信した後、各ＢＰに対するＣＱＩ情報を順次に送信する。二つのＷＢ ＣＱＩ間に各ＢＰに対するＣＱＩ情報を順次に１〜４回まで送信することができる。例えば、二つのＷＢ ＣＱＩ間に各ＢＰに対するＣＱＩ情報が１回順次に送信される場合、ＷＢ ＣＱＩ⇒ＢＰ０ ＣＱＩ⇒ＢＰ１ ＣＱＩ⇒ＷＢ ＣＱＩの順に送信することができる。また、二つのＷＢ ＣＱＩ間に各ＢＰに対するＣＱＩ情報が４回順次に送信される場合、ＷＢ ＣＱＩ⇒ＢＰ０ ＣＱＩ⇒ＢＰ１ ＣＱＩ⇒ＢＰ０ ＣＱＩ⇒ＢＰ１ ＣＱＩ⇒ＢＰ０ ＣＱＩ⇒ＢＰ１ ＣＱＩ⇒ＢＰ０ ＣＱＩ⇒ＢＰ１ ＣＱＩ⇒ＷＢ ＣＱＩの順に送信することができる。各ＢＰ ＣＱＩが何回順次に送信されるかに関する情報は、上位層（例えば、ＲＲＣ層）で信号通知される。
【００８５】
図１１（ａ）は、端末が、｛周期「５」、オフセット「１」｝を示す情報が信号通知された場合に、ＷＢ ＣＱＩ及びＳＢ ＣＱＩの両方を送信する例を示す。図１１（ａ）を参照すると、ＣＱＩは、種類に関係なく、信号通知された周期及びオフセットに該当するサブフレームでだけ送信することができる。図１１（ｂ）は、図１１（ａ）の場合においてＲＩが更に送信される場合を示す。ＲＩは、ＷＢ ＣＱＩ送信周期の何倍で送信されるか、及びその送信周期でのオフセットの組合せによって、上位層（例えば、ＲＲＣ層）から信号通知することができる。ＲＩのオフセットは、ＣＱＩのオフセットの相対的な値で信号通知される。例えば、ＣＱＩのオフセットが「１」であり、ＲＩのオフセットが「０」であるとき、ＲＩはＣＱＩと同一のオフセットを有する。ＲＩのオフセットは０及び負数の値で定義される。具体的には、図１１（ｂ）は、図１１（ａ）と同じ環境において、ＲＩの送信周期がＷＢ ＣＱＩ送信周期の１倍であり、ＲＩのオフセットが「−１」である場合を仮定する。ＲＩの送信周期は、ＷＢ ＣＱＩ送信周期の１倍であるから、ＣＳＩの送信周期は事実上同一である。ＲＩはオフセットが「−１」であるから、ＲＩは、図１１（ａ）でのＣＱＩのオフセット「１」に対する「−１」（すなわち、０番サブフレーム）を基準に送信される。ＲＩのオフセットが「０」のときは、ＷＢ ＣＱＩの送信サブフレームとＲＩの送信サブフレームとが重なる。この場合は、ＷＢ ＣＱＩを省略（ｄｒｏｐ）してＲＩを送信する。
【００８６】
図１２は、図８のＭｏｄｅ １−１の場合のＣＳＩフィードバックを例示する。
【００８７】
図１２を参照すると、ＣＳＩフィードバックは、２種類の報告内容である報告１及び報告２の送信で構成される。具体的には、報告１ではＲＩが、報告２ではＷＢ ＰＭＩ及びＷＢ ＣＱＩが送信される。報告２は（１０＊ｎf＋ｆｌｏｏｒ（ｎs／２）−Ｎオフセット,CQI）ｍｏｄ（Ｎpd）＝０を満たすサブフレームインデクスで送信される。Ｎオフセット,CQIは、図９で例示したＰＭＩ／ＣＱＩ送信のためのオフセット値に該当し、図１２はＮオフセット,CQI＝１の場合を例示する。Ｎpdは、隣接する報告２の間のサブフレーム間隔を表し、図１２は、Ｎpd＝２の場合を例示する。報告１は（１０＊ｎf＋ｆｌｏｏｒ（ｎs／２）−Ｎオフセット,CQI−Ｎオフセット,RI）ｍｏｄ（ＭRI＊Ｎpd）＝０を満たすサブフレームインデクスで送信される。ＭRIは、上位層信号通知によって定められる。また、Ｎオフセット,RIは、図１１で例示したＲＩ送信のための相対オフセット値に該当する。図１２は、ＭRI＝４及びＮオフセット,RI＝−１の場合を例示する。
【００８８】
図１３は、図８のＭｏｄｅ ２−１の場合のＣＳＩフィードバックを例示する。
【００８９】
図１３を参照すると、ＣＳＩフィードバックは、３種類の報告内容である報告１、報告２、報告３の送信で構成される。具体的には、報告１ではＲＩが、報告２ではＷＢ ＰＭＩ及びＷＢ ＣＱＩが、報告３ではＳＢ（ｓｕｂｂａｎｄ）ＣＱＩ及びＬビット副帯域選択指示子（ＳＳＩ）が送信される。報告２又は報告３は（１０＊ｎf＋ｆｌｏｏｒ（ｎs／２）−Ｎオフセット,CQI）ｍｏｄ（Ｎpd）＝０を満たすサブフレームインデクスで送信される。特に、報告２は（１０＊ｎf＋ｆｌｏｏｒ（ｎs／２）−Ｎオフセット,CQI）ｍｏｄ（Ｈ＊Ｎpd）＝０を満たすサブフレームインデクスで送信される。したがって、Ｈ＊Ｎpdの間隔ごとに報告２が送信され、隣接した報告２の間におけるサブフレームは報告３の送信で埋められる。このとき、Ｈ値はＨ＝Ｊ＊Ｋ＋１で、ここで、ＪはＢＰの個数である。Ｋは、別個のＢＰごとに１回ずつ副帯域を選別して送信する過程を全ＢＰにわたって行う全サイクルを連続して何サイクル行うかを示す値であり、上位層信号通知によって定められる。図１３は、Ｎpd＝２、Ｊ＝３及びＫ＝１の場合を例示する。報告１の場合は（１０＊ｎf＋ｆｌｏｏｒ（ｎs／２）−Ｎオフセット,CQI−Ｎオフセット,RI）ｍｏｄ（ＭRI＊（Ｊ＊Ｋ＋１）＊Ｎpd）＝０を満たすサブフレームインデクスで送信される。図１３は、ＭRI＝２及びＮオフセット,RI＝−１の場合を例示する。
【００９０】
図１４は、ＬＴＥ−Ａシステムで議論中であるＣＳＩの周期的報告について例示する。基地局が８個の送信アンテナを有するとき、Ｍｏｄｅ ２−１の場合、１ビット指示子のプリコーダタイプ指示（Ｐｒｅｃｏｄｅｒ  Ｔｙｐｅ  Ｉｎｄｉｃａｔｉｏｎ、ＰＴＩ）パラメータを設定し、ＰＴＩ値によって、図示のように、二つの形態に細分化した周期的報告モードを考慮している。同図において、Ｗ１及びＷ２は、式８〜式９を参照して説明した階層的符号表を示す。Ｗ１及びＷ２の両方が定められると、これらを結合して完成された形態のプリコーディング行列Ｗが決定される。
【００９１】
図１４を参照すると、周期的報告の場合、報告１、報告２、報告３に該当する互いに異なる内容の報告が、互いに異なる反復周期に従って報告される。報告１は、ＲＩ及び１ビットＰＴＩ値を報告する。報告２は、ＷＢ（ＷｉｄｅＢａｎｄ） Ｗ１（ＰＴＩ＝０のとき）又はＷＢ Ｗ２及びＷＢ ＣＱＩ（ＰＴＩ＝１のとき）を報告する。報告３は、ＷＢ Ｗ２及びＷＢ ＣＱＩ（ＰＴＩ＝０のとき）又はＳＢ（Ｓｕｂｂａｎｄ） Ｗ２及びＳＢ ＣＱＩ（ＰＴＩ＝１のとき）を報告する。
【００９２】
報告２及び報告３は、サブフレームインデクスが（１０＊ｎf＋ｆｌｏｏｒ（ｎs／２）−Ｎオフセット,CQI）ｍｏｄ（ＮC）＝０を満たすサブフレーム（便宜上、第１サブフレームセットという）で送信される。Ｎオフセット,CQIは、図９で例示したＰＭＩ／ＣＱＩ送信のためのオフセット値に該当する。また、Ｎcは、隣接した報告２又は報告３の間のサブフレーム間隔を示す。図１４は、Ｎオフセット,CQI＝１及びＮc＝２の場合を例示し、第１サブフレームセットは、奇数インデクスを持つサブフレームで構成される。ｎfは、システムフレーム番号（又は、無線フレームインデクス）を表し、ｎsは無線フレーム内でスロットインデクスを表す。ｆｌｏｏｒ（）は床関数を表し、Ａ ｍｏｄ Ｂは、ＡをＢで除した剰余を表す。
【００９３】
第１サブフレームセット内の一部のサブフレーム上に報告２が位置し、残りのサブフレーム上に報告３が位置する。具体的には、報告２は、サブフレームインデクスが（１０＊ｎf＋ｆｌｏｏｒ（ｎs／２）−Ｎオフセット,CQI）ｍｏｄ（Ｈ＊Ｎc）＝０を満たすサブフレーム上に位置する。したがって、Ｈ＊Ｎcの間隔ごとに報告２が送信され、隣接した報告２の間における一つ以上の第１サブフレームは報告３の送信で埋められる。ＰＴＩ＝０なら、Ｈ＝Ｍであり、Ｍは上位層信号通知によって定められる。図１４は、Ｍ＝２の場合を例示する。ＰＴＩ＝１なら、Ｈ＝Ｊ＊Ｋ＋１であり、Ｋは上位層信号通知によって定められ、ＪはＢＰの個数を表す。図１４は、Ｊ＝３及びＫ＝１の場合を例示する。
【００９４】
報告１は、サブフレームインデクスが（１０＊ｎf＋ｆｌｏｏｒ（ｎs／２）−Ｎオフセット,CQI−Ｎオフセット,RI）ｍｏｄ（ＭRI＊（Ｊ＊Ｋ＋１）＊Ｎc）＝０を満たすサブフレームで送信され、ＭRIは、上位層信号通知によって定められる。Ｎオフセット,RIは、ＲＩのための相対オフセット値を表し、図１４はＭRI＝２及びＮオフセット,RI＝−１の場合を例示する。Ｎオフセット,RI＝−１によって、報告１及び報告２の送信時点が重なり合わなくなる。端末がＲＩ、Ｗ１、Ｗ２値を計算するとき、これらの値は互いに関連して計算される。例えば、ＲＩ値に依存してＷ１及びＷ２が計算され、さらにＷ１に依存してＷ２が計算される。報告１に続いて報告２及び報告３がすべて報告された時点で、基地局はＷ１及びＷ２から最終Ｗが分かる。
【００９５】
一方、次世代移動体通信システムの標準であるＬＴＥ−Ａシステムでは、データ伝送速度の向上のために、既存の標準ではサポートしていなかった多地点協調送受信（Ｃｏｏｒｄｉｎａｔｅｄ  Ｍｕｌｔｉ  Ｐｏｉｎｔ、ＣｏＭＰ）送信方式をサポートすることが予想される。ここで、ＣｏＭＰ送信方式とは、陰影地域にある端末及び基地局（セル又はセクタ）間の通信性能を向上させるために、２個以上の送信点（例えば、基地局又はセル）が互いに協調して端末と通信する方式のことをいう。
【００９６】
ＣｏＭＰ送信方式は、データ共有を用いた協調的ＭＩＭＯ形態の合同処理（ＣｏＭＰ−Ｊｏｉｎｔ  Ｐｒｏｃｅｓｓｉｎｇ、ＣｏＭＰ−ＪＰ）及び協調スケジュール／ビーム形成（ＣｏＭＰ−Ｃｏｏｒｄｉｎａｔｅｄ  Ｓｃｈｅｄｕｌｉｎｇ／ｂｅａｍｆｏｒｍｉｎｇ、ＣｏＭＰ−ＣＳ／ＣＢ）方式に区別することができる。
【００９７】
下りリンクの場合、ＣｏＭＰ−ＪＰ方式において、端末は、ＣｏＭＰ送信方式を行う複数の基地局からデータを同時に受信することができ、各基地局から受信した信号を結合して受信性能を向上させることができる（合同送信、ＪＴ）。また、ＣｏＭＰ送信方式を行う基地局のいずれか一つが特定時点に端末にデータを送信する方法も考慮することができる（動的時点選択、ＤＰＳ）。協調スケジュール／ビーム形成方式（ＣｏＭＰ−ＣＳ／ＣＢ）では、端末はビーム形成を通じてデータを瞬間的に一つの基地局、すなわち、サービス提供基地局から受信することができる。
【００９８】
上りリンクでＣｏＭＰ−ＪＰ方式が適用される場合、複数の基地局が端末からＰＵＳＣＨ信号を同時に受信することができる（合同受信、ＪＲ）。これと違い、ＣｏＭＰ−ＣＳ／ＣＢ方式では一つの基地局だけがＰＵＳＣＨを受信することができる。協調スケジュール／ビーム形成方式を用いるという決定は、協調セル（又は、基地局）で決定することができる。
【００９９】
ＣｏＭＰ送信方式を用いる端末、すなわち、ＣｏＭＰ ＵＥは、ＣｏＭＰ送信方式を行う基地局の複数に対してチャネル情報をフィードバック（以下、ＣＳＩフィードバックと呼ぶ）することができる。ネットワークスケジューラは、ＣＳＩフィードバックに基づいてＣｏＭＰ−ＪＰ、ＣｏＭＰ−ＣＳ／ＣＢ及びＤＰＳ方式の中から、伝送速度を向上できる適切なＣｏＭＰ送信方式を選択することができる。そのために、ＣｏＭＰ ＵＥがＣｏＭＰ送信方式を行う複数の基地局内でＣＳＩフィードバックを設定する方法として、上りリンクＰＵＣＣＨを用いた周期的なフィードバック送信方式に従うことができる。この場合、それぞれの基地局に対するフィードバック設定は相互独立的であってもよい。したがって、以下本明細書では、本発明の一実施例による、このような独立したフィードバック設定をもってチャネル情報をフィードバックする動作をそれぞれ、ＣＳＩプロセスと呼ぶ。このようなＣＳＩプロセスは、一つのサービス提供セルに一つ又はそれ以上存在できる。
【０１００】
本発明の一実施例では、多元セル無線通信システムの下りリンクにおいてＣｏＭＰ ＵＥが複数のセルからのチャネル情報を周期的にフィードバックするとき、ＣｏＭＰ動作をサポートするために同一のチャネルランク値を設定できるように効果的にフィードバックする方法を提案する。
【０１０１】
ＣｏＭＰ ＵＥは、ＲＳを用いたチャネル推定後に、チャネルのそれぞれの送信状態に適したチャネルランクを決定して、それをＲＩとして報告する。このとき、ＣｏＭＰ−ＪＰを円滑に行うために、ＣｏＭＰ ＵＥは、複数のセルに対するチャネルフィードバック時に共通のＲＩ値を持つようにＣＳＩフィードバックをすることが有利である。周期的なＣＳＩフィードバックでは、相互に有機的な関係を持っているＲＩ、第１ＰＭＩ、第２ＰＭＩ、ＣＱＩなどが、制限されたＰＵＣＣＨ容量のために一度に送信されず、フィードバックモードによって一定のパターンに分けて送信される。ＣｏＭＰ ＵＥが多元セルに対して複数のＣＳＩフィードバックを行う場合、それぞれのセルに対するフィードバック設定であるフィードバック周期及び／又はフィードバックオフセットなどが異なることがある。この場合、ＲＩ値を変更する時点がすべてのフィードバック設定で同一でないことがあり、ＲＩに関連した情報であるＰＭＩ、ＣＱＩなどの情報の正確性が低下することがある。したがって、本発明の一実施例では、複数の周期的ＣＳＩプロセスが動作する状況でＣｏＭＰ ＵＥが参照ＲＩ値を有し、ＰＭＩ、ＣＱＩ情報の正確性が維持されるように効果的にサポートする方法を提案する。
【０１０２】
ＣＳＩフィードバックの構成要素であるＲＩ、ＰＭＩ及びＣＱＩ値は相互有機的な関係を持っているため、一つの値が変わってフィードバックされる場合、ネットワークスケジューラで再組合せされたチャネル情報は非常に不正確なことがある。また、ＰＭＩ情報が長期情報を示す第１ＰＭＩであるＷ１と、短期情報を示す第２ＰＭＩであるＷ２とに分けられる場合にも、両値は有機的な関係を持っているため、一つの情報が変わると、再組合せ後に非常に不正確なＰＭＩ値になることがある。したがって、相互有機的な関係がある情報の場合は、途中においてＲＩ値が変更されても、変更される前のＲＩ値に基づいて解釈することによって、ＣＳＩフィードバック情報が正確になる。
【０１０３】
図１５は、本発明の一実施例によって、ＣｏＭＰ ＵＥが周期的に広帯域（ＷＢ）フィードバックをする場合を示している。このＣｏＭＰ ＵＥは、ＣｏＭＰ送信方式に参加する二つのセルであるセル１及びセル２に対してそれぞれ周期的にチャネル情報を報告するＣＳＩフィードバックを行うことができる（ＣＳＩプロセス１及び２）。ＣｏＭＰ ＵＥは、二つのＣＳＩプロセスのいずれかを通じて、ＲＩ値を報告する時点（図１５の例では、サブフレーム（ｎ，ｎ＋３，ｎ＋１０，ｎ＋１３，ｎ＋２０，ｎ＋２３，…）で、チャネル状況に応じて適切なＲＩ値に変更して報告することができる。上記の例示において、ＵＥは、ＣＳＩプロセス２のサブフレーム（ｎ＋３）を通じてＲＩ値を３に変更した。図１５の例示のようなフィードバックモードでは、相互有機的な連関性を持つ情報であるＷ１、Ｗ２、ＣＱＩがいずれもＲＩ値の送信時点と同じ時点でフィードバックされているため、変更されたＲＩ値によっていずれも一度に計算して定めることができる。ＵＥは、次のＲＩ値が変わるまでは、すべてのＰＭＩ、ＣＱＩ情報を二つのＣＳＩプロセスすべてにおいて最後に報告したＲＩ値（図１５の例示で、ＲＩ＝３）に基づいて計算してフィードバックしてもよい。したがって、どの時点でＲＩ値が変わったかに関係なく、ネットワークスケジューラでフィードバックされたＲＩ、ＰＭＩ及びＣＱＩを再組合せすることによって正確なチャネル情報が得られる。又は、共通ＲＩ値を設定する基準ＣＳＩプロセスとそのＣＳＩプロセスのＲＩを基準にしてＣＳＩを計算するＣＳＩプロセスとが決定された場合、ＵＥは、基準ＣＳＩプロセスの最後に報告したＲＩ値（図１５の例示で、ＲＩ＝３）に基づいて、基準ＣＳＩプロセスとそのＣＳＩプロセスのＲＩを基準にしてＣＳＩを計算するＣＳＩプロセスとのＰＭＩ、ＣＱＩ情報を計算してフィードバックしてもよい。
【０１０４】
図１６は、本発明の一実施例によって、ＣｏＭＰ ＵＥが周期的に広帯域（ＷＢ）フィードバックをする他の場合を示している。図１５と異なる点は、ＰＭＩ及びＣＱＩが同一時点で報告されず、長期ＰＭＩであるＷ１と短期ＰＭＩであるＷ２とが異なる時点で報告されることである。この場合、ＵＥが一つのＣＳＩプロセスを通じてＲＩ値を変更すると、他のＣＳＩプロセスの場合は一連の相互有機的な情報の連関性が維持されないこともある。図１６に示す例示を参照すると、ＵＥは、ＣＳＩプロセス１を用いてサブフレーム（ｎ）でＲＩ値を２に変更した。このとき、ＣＳＩプロセス１を通じて、ＲＩ値と共に長期ＰＭＩ情報であるＷ１が報告される。以降、ＣＳＩプロセス１を通じてサブフレーム（ｎ＋１）及び（ｎ＋６）に送信される短期ＰＭＩ情報であるＷ２及びＣＱＩ情報は、前に報告されたＲＩ、Ｗ１と相互関連した情報として併せて再組合せされることによって、正確なチャネル情報となる。サブフレーム（ｎ＋３）時点のようにＣＳＩプロセス２を用いてＲＩ値を３に変更したとき、ＵＥがＣＳＩプロセス１を通じてサブフレーム（ｎ＋６）時点に、変更されたＲＩ値に基づいてＷ２及びＣＱＩを計算してフィードバックすると、ネットワークスケジューラで再組合せされたチャネル情報が不正確になる。これを解決するための方法として、ＲＩ値が変更されても、新しいＷ１情報がフィードバックされるまでは変更されたＲＩ値を適用せず、当該ＣＳＩプロセスで最後に報告されたＷ１が基準にしたＲＩ値を仮定するようにＵＥとネットワークスケジューラとの間で約束することができる。すなわち、図１６の例示で、サブフレーム（ｎ＋６）のＷ２及びＣＱＩ情報を、サブフレーム（ｎ）時点でフィードバックされたＲＩ及びＷ１情報と再組合せすることによって、正確なチャネル情報が得られる。
【０１０５】
正確な再組合せチャネル情報のための他の実施例として、図１６の例示のように相互有機的な連関性を持っているチャネル情報が周期的なＣＳＩフィードバックに分けて送信される場合、ＵＥは、すべてのＣＳＩプロセスにおいてＲＩフィードバック周期及びオフセットを同一となるように設定することができる。すなわち、ＲＩ値が変更される時点を同一にすることによって、ネットワークスケジューラによってフィードバックされたＲＩ、ＰＭＩ及びＣＱＩを再組合せすることによって、正確なチャネル情報が得られる。
【０１０６】
図１７は、ＣｏＭＰ ＵＥが周期的に広帯域フィードバックと副帯域フィードバックとを同時に行う場合の例示である。ＵＥが複数のＣＳＩプロセスを有するとき、一つの副帯域ＣＳＩプロセスの観点で、矢印で表示した時点で他のＣＳＩプロセスを用いてＲＩ値を変更する場合を示している。長期ＰＭＩ情報であるＷ１と短期ＰＭＩ情報であるＷ２との関係と同様に、副帯域ＰＭＩ情報及び広帯域ＰＭＩ情報も、相互有機的な関連性を持っているため、ネットワークスケジューラで共に再組合せすることによって、正確なチャネル情報を示すことができる。したがって、一連の有機的な関連性を持つフィードバック情報（例えば、広帯域Ｗ１−広帯域Ｗ２−広帯域ＣＱＩ、又は、広帯域Ｗ１−広帯域Ｗ２−広帯域ＣＱＩ−副帯域Ｗ２−副帯域ＣＱＩ）の連続したフィードバック送信中は、変更されたＲＩ値を適用してＰＭＩ、ＣＱＩなどを計算してはならない。ＵＥは、途中においてＲＩ値が変更されたときも、一連の関連した情報のフィードバックが終わるまでは既存のＲＩ値が維持されていると仮定してもよい。具体的な一方法として、一連の関連した情報の中で時間的に最初にフィードバックされる広帯域Ｗ１（又は、Ｗ１、Ｗ２と区別しない場合は広帯域Ｗ）を基準にして変更されたＲＩ値を適用するように定めることができる。ＵＥは、一つのＣＳＩプロセス１においてＲＩ値を変更できる周期の途中に他のＣＳＩプロセスを通じてＲＩ値が変更されたとき、変更されたＲＩ値をＣＳＩプロセス１に直ちに適用してＰＭＩ、ＣＱＩを計算してフィードバックするのではなく、新しい広帯域Ｗ１フィードバック時点になるまで既存のＲＩ値が維持されると仮定してＰＭＩ、ＣＱＩを計算してフィードバックすることができる。その後、新しい広帯域Ｗ１フィードバック時点からは、変更されたＲＩ値を基準にしてＰＭＩ、ＣＱＩを計算してフィードバックする。同様に、それぞれのＣＳＩプロセスを通じてフィードバックされる一連のフィードバック情報の途中においてＲＩ値が変わったとき、新しい広帯域Ｗ１が送信されるまでは、ネットワークスケジューラは、ＲＩ値を当該ＣＳＩプロセスが最後に報告した広帯域Ｗ１を計算するために用いた基準として仮定し、フィードバックするとしてもよい。したがって、新しい広帯域Ｗ１が送信されるまでは、当該ＣＳＩプロセスにおいて最後に報告した広帯域Ｗ１が基準にしたＲＩ値、ＰＭＩ、ＣＱＩ情報を再組合せして、正確なチャネル情報を得ることができる。
【０１０７】
図１７の例示において、ＵＥは、サブフレーム（ｎ）でＲＩ値を２と仮定してＰＭＩ、ＣＱＩを計算し、ＣＳＩプロセス１で順次にフィードバックを行っている。サブフレーム（ｎ＋１０）でＵＥは他のＣＳＩプロセスのＲＩ送信時点を通じてＲＩ値を３に変更した。このとき、ＵＥが、ＣＳＩプロセス１のサブフレーム（ｎ＋１１）時点で、変更されたＲＩ値を基準にして広帯域Ｗ２、広帯域ＣＱＩを計算してフィードバックすると、前のサブフレーム（ｎ＋７）時点にＲＩ＝２と仮定して計算した広帯域Ｗ１との有機的な関連性が破られることになる。そのため、変更されたＲＩ＝３を適用して新しく計算した広帯域Ｗ１がフィードバック可能なサブフレーム（ｎ＋１３）まで、ＣＳＩプロセス１で最後に報告した広帯域Ｗ１（すなわち、サブフレーム（ｎ＋７）時点）が基準にしたＲＩ値を２と仮定して広帯域Ｗ２、広帯域ＣＱＩを計算してフィードバックする。サブフレーム（ｎ＋１３）時点からは、変更されたＲＩ値を適用し、ＲＩ値を３と仮定して、広帯域Ｗ１、広帯域Ｗ２、広帯域ＣＱＩを計算してフィードバックする。ネットワークスケジューラでは、ＣＳＩプロセス１でフィードバックした一連の情報を再組合せしてチャネル情報を得る際、サブフレーム（ｎ＋１２）まではＣＳＩプロセス１から最後に報告した広帯域ＣＱＩを計算する基準となったＲＩ＝２を仮定してＲＩ、ＰＭＩ、ＣＱＩを再組合せし、サブフレーム（ｎ＋１３）からは、他のＣＳＩプロセスを通じて変更されたＲＩ値を３と仮定して、ＲＩ、ＰＭＩ、ＣＱＩを再組合せする。同様に、サブフレーム（ｎ＋３４）、（ｎ＋４２）でのＲＩ値変更も同様の動作に従う。一方、サブフレーム（ｎ＋２８）のように、副帯域ＰＭＩ、ＣＱＩの途中にＲＩ値が変更されることもある。副帯域ＰＭＩ、ＣＱＩは広帯域ＰＭＩに有機的に関連した情報として解釈しなければならず、変更されたＲＩ値を直ちに適用することは、上記と同様に好ましくない。したがって、当該ＣＳＩプロセス１で広帯域Ｗ１を新しく計算する前であるサブフレーム（ｎ＋３９）までは、最後に報告された広帯域Ｗ１時点（サブフレーム（ｎ＋１９）時点）で基準にしたＲＩ値を３と仮定し、ＰＭＩ、ＣＱＩを計算することによってチャネル情報の正確性を向上させることができる。
【０１０８】
以上説明した例示では、ＵＥが複数のＣＳＩプロセスを有するとき、それぞれのＣＳＩプロセスでＲＩ値を変更する動作を説明した。以下の実施例を説明するための例示では、複数のＣＳＩプロセスの中で一つのＣＳＩプロセスでだけＲＩ値を変更する場合を挙げて説明する。
【０１０９】
図１８は、本発明の一実施例によって、いずれか一つのＣＳＩプロセスでだけＲＩ値を変更できるようにする状況を示す図である。ＲＩ値を変更するＣＳＩプロセスは、ＲＲＣ信号通知で明示的に指示することができる。又は、ＣＳＩプロセスのインデクス設定に当たって最高又は最低のインデクスを有するＣＳＩプロセスでＲＩ値を変更するように、暗黙に約束してもよい。ＲＩ値を変更するように設定されたＣＳＩプロセス１での動作は、既存の方法と同一である。ＲＩ値を変更しないように設定されたＣＳＩプロセス２ではＲＩ値をフィードバックする必要がないため、ＲＩ値をフィードバックするようになっている時点（サブフレーム（ｎ＋３）、（ｎ＋１３）、（ｎ＋２３））に何も送信しなくてもよい（図１８のＣＳＩプロセス２参照）。したがって、ＣＳＩプロセス２ではＲＩ値をフィードバックしないように設定することができる。これによって、余計なフィードバック情報を減らすことによって端末の電力消耗を減らすことができ、制御情報の占める上りリンクオーバヘッドを減らすことができる。
【０１１０】
図１９は、本発明の一実施例によっていずれか一つのＣＳＩプロセスでだけＲＩ値を変更できるようにする状況の他の例示する図である。図１９の例示では、ＲＩ値がフィードバック時点にＷ１と共に合同符号化（ｊｏｉｎｔ  ｅｎｃｏｄｉｎｇ）されているフィードバックモードである。ＲＩ値を変更しないように設定されたＣＳＩプロセス２ではＲＩ値を送信する時点（サブフレーム（ｎ＋３）、（ｎ＋１３）、（ｎ＋２３））にＷ１だけを送信することができる。一方、ＲＩ値及びＰＭＩを合同符号化して同時に送信するフィードバックモードの場合、ＲＩ値の信頼性のためにＷ１値はサブサンプリングなどの方法を通じて情報量を減らして送信することができる。仮に、ＲＩ値を送信しないようにＣＳＩプロセスが設定されていると（図１９に示す例示でＣＳＩプロセス２）、Ｗ１をサブサンプリングせずにそのままフィードバックすることによって、より正確なＷ１情報をフィードバックすることができる。
【０１１１】
上記の諸例示のように、複数のＣＳＩプロセスの中で指定されたＣＳＩプロセスだけにおけるＲＩ値変更が有効となるように動作する場合、複数の周期的ＣＳＩプロセスが設定され、同一時点に二つ以上のフィードバック情報送信が予定された場合、送信優先順位を効率的に決定しなければならない。したがって、本発明の一実施例による優先順位を決定する方法について、以下に詳しく説明する。
【０１１２】
このように複数のフィードバック情報の中で送信するいずれか一つを選択すべき場合、一般に、ＲＩ値を最高の送信順位と設定し、その次に広帯域ＰＭＩ／ＣＱＩ、最後に副帯域ＰＭＩ／ＣＱＩ順に送信優先順位を設定することが効率的である。しかし、上記のように一つのＣＳＩプロセスだけにおいてＲＩ値変更が有効となるように動作する場合、ＲＩ値変更が有効でない他のＣＳＩプロセスにおけるＲＩ値の送信は、他の情報に比べて低い送信優先順位を有することが効率的である。したがって、本発明の一実施例によれば、報告タイプによって送信優先順位を、（１）ＲＩ値変更が有効なＲＩ報告、（２）広帯域ＰＭＩ／ＣＱＩ報告、（３）副帯域ＰＭＩ／ＣＱＩ報告、（４）ＲＩ値変更が有効でないＲＩ報告の順に決定することができる。
【０１１３】
図２０は、本発明の一実施例によって、報告タイプ及び／又はＣＳＩプロセスインデクスによってフィードバック情報送信の優先順位を説明するための図である。以下の図面において、各ＣＳＩプロセス間に送信されるＣＳＩ送信の衝突は、同一のサービス提供セルに対するＣＳＩの衝突である場合を含むことができる。
【０１１４】
図２０に示す例示では、ＣＳＩプロセス１を通じたＲＩ値変更が有効だと設定され、ＣＳＩプロセス２を通じたＲＩ値変更が有効でないと設定された状況を示す。ＣＳＩプロセス２ではＲＩ値送信時点に図１９の例示のように何も送信しなくてもよいが、ＲＩ値送信の信頼性を向上させるために、ＣＳＩプロセス１で決定されたＲＩ値を反復してフィードバックしてもよいし、意味のないダミー値をフィードバックしてもよい。サブフレームｎ、（ｎ＋１０）、（ｎ＋２０）では、ＲＩ値変更が有効なＣＳＩプロセス１でのＲＩ値は最高の送信優先順位を有するため、ＣＳＩプロセス２でのＷ１／Ｗ２／ＣＱＩ情報が省略される。
【０１１５】
一方、サブフレーム（ｎ＋６）時点でＣＳＩプロセス１及びＣＳＩプロセス２は互いに同一の優先順位、送信時点のフィードバック情報を有している。すなわち、上述した報告タイプによる優先順位によっては、この重なる時点で送信するフィードバック情報を定めることができない。したがって、本発明の一実施例では、優先順位を段階的に適用して、報告タイプによる優先順位をまず適用した後、報告タイプが同一であればＣＳＩプロセスインデクスによって優先順位を定めることを更に提案する。
【０１１６】
すなわち、図２０に示した例のサブフレーム（ｎ＋６）時点では、二つのＣＳＩプロセスが同一の報告タイプによる優先順位を有する情報であるから、あらかじめ約束された規則（ＣＳＩプロセスインデクス値）に基づいて一方が省略される。ここでは、ＣＳＩプロセスインデクスが低い方がより優先順位が高いと仮定した。したがって、ＣＳＩプロセスインデクスの高いＣＳＩプロセス２を通じて送信されるＷ１／Ｗ２／ＣＱＩフィードバック情報の送信を省略することができる。
【０１１７】
サブフレーム（ｎ＋１１）では、ＣＳＩプロセス２は、ＲＩ値変更が有効でないように設定されたため、ＣＳＩプロセス２のＲＩ値はＣＳＩプロセス１のＲＩ／ＰＭＩ／ＣＱＩよりも優先順位を低く設定することが有利である。したがって、このとき、ＣＳＩプロセス２のＲＩ値が省略される。
【０１１８】
図２１は、本発明の一実施例によって、報告タイプ及び／又はＣＳＩプロセスインデクスによってフィードバック情報送信の優先順位を説明するための他の図である。
【０１１９】
図２１に示す例では、同様に、ＣＳＩプロセス１を通じたＲＩ値変更が有効だと設定され、ＣＳＩプロセス２を通じたＲＩ値変更が有効でないと設定された他の状況を示している。図２０の例示と違い、図２１の実施例では、ＲＩ値のフィードバック時点にＷ１と共に合同符号化されて送信される状況を仮定した。図２１の実施例では、送信タイプによる優先順位が同一であるフィードバック情報の送信時点が重なる場合に対して、ＣＳＩプロセスインデクスの高いＣＳＩプロセスを通じたフィードバック情報が送信される状況を仮定した。図２１で、サブフレーム（ｎ＋１１）の衝突状況を見ると、ＲＩ値変更が有効でないＣＳＩプロセス２のＲＩ値は低い優先順位を有するが、共に合同符号化されたＷ１がＣＳＩプロセス１のＷ２／ＣＱＩと同一の送信優先順位を有する。そのため、サブフレーム（ｎ＋１１）でＣＳＩプロセス１を通じて送信されるフィードバック情報の送信と、ＣＳＩプロセス２を通じて送信されるフィードバック情報の送信とは同一の送信優先順位を有することとなる。したがって、最終的に事前約束によってＣＳＩプロセス２のＷ１がより高い送信優先順位を有し、ＣＳＩプロセス１のサブフレーム（ｎ＋１１）を通じて送信されるフィードバック情報の送信を省略してもよい。
【０１２０】
上記の図面に示した例示では、説明の便宜上、複数のＣＳＩプロセスが同一のフィードバックモードを使用するとしたが、同一のフィードバックモードに設定された状況に限定されず、ＣＳＩプロセスごとに異なるフィードバックモードに設定された場合にも同様の作動原理を適用することができる。
【０１２１】
本発明の他の実施例では、ＣＳＩプロセス間にフィードバック情報の送信時点が重なる場合、ＣＳＩプロセス自体に設定された優先順位に基づいて、送信するフィードバック情報を決定することを提案する。例えば、ＣＳＩプロセス１自体に設定された送信優先順位が、ＣＳＩプロセス２に設定された送信優先順位よりも高く設定された場合を仮定することができる。ここで、ＵＥがＣＳＩプロセス１及び２を通じて送信するフィードバック情報の送信時点が重なる場合、ＵＥは、より高い送信優先順位が設定されたＣＳＩプロセス２を通じたフィードバック情報を送信し、低い優先順位が設定されたＣＳＩプロセス１を通じたフィードバック情報を省略する。
【０１２２】
さらに、この実施例で、ＣＳＩプロセス自体に設定された優先順位は、ＣｏＭＰ送信方式（ＣｏＭＰ−ＪＰ、ＤＳＰ／ＤＰＢ又はＣｏＭＰ−ＣＳ／ＣＢ）によって設定してもよい。この実施例における前提条件として、ＵＥに設定された複数のＣＳＩプロセスは、互いに異なるＣｏＭＰ送信方式を仮定したチャネル情報を計算することができる。すなわち、ＵＥは、ＣｏＭＰ送信方式に参加した協調セルがＣｏＭＰ送信方式（ＣｏＭＰ−ＪＰ、ＤＳＰ／ＤＰＢ又はＣｏＭＰ−ＣＳ／ＣＢ）のうちいずれの方式で動作しているかによって異なるチャネル情報を報告することができる。
【０１２３】
図２２は、本発明の一実施例によって、二つのセル（ＴＰ１及びＴＰ２）が協調してデータを送信するＣｏＭＰ送信状況で、ＵＥが報告できる様々なチャネル情報（フィードバック内容）の種類を示すテーブルである。図２２に示すテーブルの例示で、「所望の信号に対する仮定（Ｄｅｓｉｒｅｄ  ｓｉｇｎａｌ  ｈｙｐｏｔｈｅｓｉｓ）」項目は、ＣｏＭＰ送信方式に参加している両セルの中でどのセルから信号を受信している状況を仮定しているかを示す。そして、「干渉信号に対する仮定（Ｉｎｔｅｒｆｅｒｅｎｃｅ  ｓｉｇｎａｌ  ｈｙｐｏｔｈｅｓｉｓ）」項目は、ＣｏＭＰ送信方式に参加している両セルの中でどのセルからの干渉が発生する状況を仮定しているかを示す。すなわち、本発明の一実施例で、ＣＳＩプロセスは「所望の信号に対する仮定」及び「干渉信号に対する仮定」の組合せで定義することができる。
【０１２４】
例えば、ＣＳＩプロセス１は、ＵＥがＴＰ１から所望の信号を受信し、ＴＰ２から干渉信号を受信している状況を仮定してＲＩ／ＰＭＩ／ＣＱＩを計算し、この計算されたチャネル情報（ＲＩ／ＰＭＩ／ＣＱＩ）を報告する。ＣＳＩプロセス２は、ＵＥがＴＰ１から所望の信号を受信し、ＴＰ２から干渉信号が送信されない状況を仮定してＲＩ／ＰＭＩ／ＣＱＩを計算してチャネル情報を報告する。これら二つのプロセスを通じて報告されたチャネル情報を比較すると、ＣＳＩプロセス２を通じて報告されたチャネル情報はＣＳＩプロセス１を通じて報告されるチャネル情報と比較して、より高いＲＩ又はＣＱＩを示すことができる（ＣＳＩプロセス２では干渉信号がないと仮定したため）。同様に、ＣＳＩプロセス３及び４では、逆に、ＵＥがＴＰ２から所望の信号を受信し、ＴＰ１から干渉信号が送信され、又は送信されない状況を仮定して取得したチャネル情報を報告する。最後に、ＣＳＩプロセス５は、ＴＰ１及びＴＰ２の両方から所望の信号を受信し、ＴＰ１及びＴＰ２のいずれからも干渉信号を受信しない状況を仮定して取得したチャネル情報を報告する。
【０１２５】
図２２に示す例示のように、様々なＣｏＭＰ状況を仮定したＣＳＩプロセスを用いると、ネットワークは、このようなＣＳＩプロセスを通じて受信されたチャネル情報に基づいて様々なＣｏＭＰ送信方式を適用することができる。以下では、ＴＰ１をサービス提供セルと仮定して記述するが、ＴＰ２がサービス提供セルとして動作する場合にも同一に適用できることは明らかである。例えば、ネットワークは、ＵＥからＣＳＩプロセス１及び２を通じたチャネル情報が与えられた場合、ＣｏＭＰ−ＣＳ／ＣＢ、ＤＰＢの中から適切なＣｏＭＰ動作を決定し、ＴＰ１からＵＥに所望の信号を送信することができる。同様に、ＵＥからＣＳＩプロセス３及び４を通じてチャネル情報が与えられる場合、ネットワークは、ＣｏＭＰ−ＣＳ／ＣＢ及びＤＰＳ／ＤＰＢの中から適切なＣｏＭＰ動作を決定し、ＴＰ１又はＴＰ２から選択的に所望の信号を送信することができる。また、ＵＥからＣＳＩプロセス５を通じてチャネル情報が与えられた場合、ネットワークは、ＣｏＭＰ−ＪＰ送信技法を用いてＴＰ１及びＴＰ２から同時にＵＥに所望の信号を送信することができる。ネットワークがＵＥに可能なＣＳＩプロセス全体を設定した場合、ＣｏＭＰ−ＣＳ／ＣＢ、ＤＰＳ／ＤＰＢ、ＣｏＭＰ−ＪＰなどのすべてのＣｏＭＰ送信技法を行うことができる。そして、上述したとおり、ＵＥに一部のＣＳＩプロセスだけを設定する場合、その一部のＣＳＩプロセスに該当するＣｏＭＰ送信技法の中からＣＳＩプロセスが仮定したＣｏＭＰ送信技法を選択して行うことができる。
【０１２６】
このように、ＵＥに設定されたＣＳＩプロセスによって異なるＣｏＭＰ動作を仮定してチャネル情報を報告する場合、仮定したＣｏＭＰ動作の重要度に従ってネットワークで優先順位を有することが有利であろう。すなわち、フィードバック情報の送信がＣＳＩプロセス間に重なる場合、重要なＣｏＭＰ動作を仮定したＣＳＩプロセスを通じて送信されるフィードバック情報の送信に対して送信優先順位をより高く設定することができる。特に、ＰＵＣＣＨを用いた周期的なチャネル報告にこのような優先順位を反映して、ＣｏＭＰ動作をより効率的に行うように補助することもできる。このような優先順位は半静的にＣＳＩプロセス設定と共にＵＥに信号通知することができる。より具体的には、ＵＥは、複数の周期的ＰＵＣＣＨチャネル報告において異なるＣＳＩプロセスを通じたフィードバック情報の送信時点が重なる場合、優先順位の高いＣＳＩプロセスのチャネル情報を報告し、優先順位の低いＣＳＩプロセスのチャネル情報は省略してもよい。
【０１２７】
ＣＳＩプロセスに優先順位を設定する際、ＵＥがＣｏＭＰ送信状況でサービス提供セルから所望の信号を受信する頻度数が高い場合には、このような状況を仮定したＣＳＩプロセスに高い優先順位を設定することが好ましい。すなわち、図２２に示すテーブルの例示で、このような状況を仮定したＣＳＩプロセス１及び２が、高い優先順位を有するはずである。他の状況を仮定すると、二つのＴＰから同時に受信する方式であるＣｏＭＰ−ＪＴ方式の頻度数が低い場合は、ＴＰ１又はＴＰ２のいずれか一方から所望の信号を受信するＣＳＩプロセスが、より高い優先順位を有することが好ましいであろう。図２２に示すテーブルの例示におけるＣＳＩプロセス１、２、３及び４がそれに該当するであろう。
【０１２８】
図２３は、本発明の一実施例によって、ＣＳＩプロセス別に優先順位を異なるように設定し、優先順位値を設定した例示を示している。図２３に示す例示であり、ＣＳＩプロセス１及び２に、最高の優先順位である「Ｃｌａｓｓ Ａ」が設定されており、ＣＳＩプロセス５には、最低の優先順位である「Ｃｌａｓｓ Ｃ」が設定されている。そして、本発明の実施例では優先順位によって「優先順位値」を設定して、高い優先順位を有する場合に、より高い優先順位値を設定する。上述した優先順位の設定によって、ＵＥは、様々なＣＳＩプロセスが動作して周期的なＰＵＣＣＨの送信時点が重なっても、少なくともサービス提供セルから所望の信号を受信するＣｏＭＰ動作はサポートできるように安定的にチャネル情報をネットワークに伝達することができる。上述した例示では説明の便宜上、優先順位を３つ（高／中／低）としたが、ネットワークの具現によってより多く細分化したレベル（又は、より少なく細分化したレベル）に設定することもできることは無論である。
【０１２９】
なお、本発明の実施例は、送信されるチャネル情報の種類（ＲＩ／ＰＭＩ／ＣＱＩなど）によって異なる優先順位をさらに設定してもよい。
【０１３０】
図２４は、本発明の一実施例によって、ＣＳＩプロセスを通じて送信されるチャネル情報の種類によって優先順位及び優先順位値が設定された例示する図である。図２４では、ＲＩ情報、広帯域ＰＭＩ／ＣＱＩ、及び副帯域ＰＭＩ／ＣＱＩによる優先順位の例示を示している。
【０１３１】
一例として、ＲＩ情報は、長い周期で一回ずつ報告されるが、チャネル情報全体の正確性を決定するのに極めて重要な情報であるため、高い優先順位に設定することが好ましい。次に、ＷＢ ＰＭＩやＷＢ ＣＱＩなどは、副帯域ＰＭＩ又は副帯域ＣＱＩに比べて長い周期で報告され、全体チャネル情報を含む情報であるため、副帯域情報に比べて高い優先順位を有することができる。そして、このように設定された優先順位に従って優先順位値をそれぞれ設定することができ、優先順位値が高いほどより高い優先順位を示す。
【０１３２】
図２３ではＣＳＩプロセスが仮定しているＣｏＭＰ送信技法によって優先順位を設定する実施例を示しており、図２４では送信されるチャネル情報の種類によって優先順位を設定する実施例を示している。本発明の一実施例では、これら２種類の優先順位を同時に考慮することを更に提案する。
【０１３３】
同時に考慮する一方法として、図２３及び図２４の例示で設定されている優先順位値の積から算出される最終優先順位値を決定し、その最終優先順位値を比較することによって２種類の優先順位を同時に考慮することができる。すなわち、上記の例で、ＣＳＩプロセス１（優先順位値＝３）におけるＲＩ情報、ＷＢ ＰＭＩ／ＣＱＩ及びＳＢ ＰＭＩ／ＣＱＩはそれぞれ最終優先順位値として９、６及び３を有することができる。そしてＣＳＩプロセス５（優先順位値＝１）に対してＲＩ情報、ＷＢ ＰＭＩ／ＣＱＩ及びＳＢ ＰＭＩ／ＣＱＩはそれぞれ最終優先順位値として３、２及び１を有することができる。したがって、ＣＳＩプロセス１を通じて送信されるＷＢ ＰＭＩ（最終優先順位値＝６）は、ＣＳＩプロセス５を通じて送信されるＲＩ情報（最終優先順位値＝３）よりも高い最終優先順位値を有する。
【０１３４】
２種類の優先順位を同時に考慮する他の方法として、それぞれの優先順位を順次に適用することを考慮することができる。例えば、図２３に示したテーブルの例のように、ＣＳＩプロセス別に優先順位をまず適用した後、同一の優先順位を有するＣＳＩプロセス間には、図２４に示した例のように、チャネル情報による優先順位を適用することができる。逆に、チャネル情報による優先順位をまず適用した後、同一の優先順位を有するチャネル情報間にはさらにＣＳＩプロセスによる優先順位を適用してもよい。
【０１３５】
図２５は、本発明に一実施例に適用できる基地局及び端末を例示する。無線通信システムにリレーが含まれる場合、バックホールリンクでは通信が基地局とリレーとの間で行われ、接続リンクでは通信がリレーと端末との間で行われる。そのため、図中の基地局又は端末は状況によってリレーに置き替えてもよい。
【０１３６】
図２５を参照すると、無線通信システムは、基地局（ＢＳ）１１０及び端末（ＵＥ）１２０を含む。基地局１１０は、プロセッサ１１２、メモリ１１４及び無線周波（ＲＦ）ユニット１１６を含む。プロセッサ１１２は、本発明で提案した手順及び／又は方法を具現するように構成することができる。メモリ１１４は、プロセッサ１１２に接続し、プロセッサ１１２の動作に関連した様々な情報を記憶する。ＲＦユニット１１６はプロセッサ１１２に接続し、無線信号を送信及び／又は受信する。端末１２０は、プロセッサ１２２、メモリ１２４及びＲＦユニット１２６を含む。プロセッサ１２２は、本発明で提案した手順及び／又は方法を具現するように構成することができる。メモリ１２４はプロセッサ１２２に接続され、プロセッサ１２２の動作に関連した様々な情報を記憶する。ＲＦユニット１２６はプロセッサ１２２に接続され、無線信号を送信及び／又は受信する。基地局１１０及び／又は端末１２０は、単一アンテナ又は多元アンテナを有することができる。
【０１３７】
以上説明してきた実施例は、本発明の構成要素及び特徴を所定形態に結合したものである。各構成要素又は特徴は、別の明示的な言及がない限り、選択的なものとして考慮しなければならない。各構成要素又は特徴は、他の構成要素又は特徴と結合しない形態で実施することもできるし、一部の構成要素及び／又は特徴を結合して本発明の実施例を構成することもできる。本発明の実施例で説明される動作の順序は変更してもよい。ある実施例の一部構成又は特徴は、他の実施例に含まれてもよいし、他の実施例の対応する構成又は特徴に置き換えてもよい。特許請求の範囲において明示的な引用関係にない請求項を結合して実施例を構成したり、出願後の補正によって新しい請求項として含めたりできるということは明らかである。
【０１３８】
本明細書で基地局によって行われるとした特定動作は、場合によってはその上位ノードによって行われることもある。すなわち、基地局を含む複数のネットワークノードからなるネットワークにおいて端末との通信のために行われる様々な動作は、基地局又は基地局以外の他のネットワークノードによって行われ得ることは明らかである。基地局は、固定局、ノードＢ、進化ノードＢ（ｅＮＢ）、アクセスポイントなどの用語に置き換えてもよい。
【０１３９】
本発明による実施例は、様々な手段、例えば、ハードウェア、ファームウェア、ソフトウェア又はそれらの結合などによって具現することができる。ハードウェアによる具現では、本発明の一実施例は、一つ又はそれ以上の特定用途集積回路（ＡＳＩＣ）、デジタル信号プロセッサ（ＤＳＰ）、デジタル信号処理デバイス（ＤＳＰＤ）、プログラム可能論理デバイス（ＰＬＤ）、フィールドプログラム可能ゲートアレイ（ＦＰＧＡ）、プロセッサ、コントローラ、マイクロコントローラ、マイクロプロセッサなどによって具現することができる。
【０１４０】
ファームウェア又はソフトウェアによる具現では、本発明の一実施例は、以上で説明された機能又は動作を実行するモジュール、手順、関数などの形態で具現することができる。ソフトウェアコードは、メモリユニットに記憶され、プロセッサによって駆動可能である。メモリユニットは、プロセッサの内部又は外部に設けられ、公知の様々な手段によってプロセッサとデータを交換することができる。
【０１４１】
本発明を、本発明の特徴から逸脱しない範囲で別の特定の形態で具体化できるということは当業者にとっては自明である。したがって、上記の詳細な説明は、いずれの面においても制限的に解釈してはならず、例示的なものとして考慮しなければならない。本発明の範囲は、添付の請求項の合理的な解釈によって決定すべきであり、本発明の均等範囲内における変更はいずれも本発明の範囲に含まれる。
【産業上の利用可能性】
【０１４２】
上述したような無線通信システムにおいてＣＳＩを報告する方法及びそのための装置は、３ＧＰＰＬＴＥシステムに適用される例を中心に説明したが、３ＧＰＰ ＬＴＥシステムの他、様々な無線通信システムにも適用することができる。
【図１】
0005940178.tif 000012
【図２】
0005940178.tif 000013
【図３】
0005940178.tif 000014
【図４】
0005940178.tif 000015
【図５】
0005940178.tif 000016
【図６】
0005940178.tif 000017
【図７】
0005940178.tif 000018
【図８】
0005940178.tif 000019
【図９】
0005940178.tif 000020
【図１０】
0005940178.tif 000021
【図１１】
0005940178.tif 000022
【図１２】
0005940178.tif 000023
【図１３】
0005940178.tif 000024
【図１４】
0005940178.tif 000025
【図１５】
0005940178.tif 000026
【図１６】
0005940178.tif 000027
【図１７】
0005940178.tif 000028
【図１８】
0005940178.tif 000029
【図１９】
0005940178.tif 000030
【図２０】
0005940178.tif 000031
【図２１】
0005940178.tif 000032
【図２２】
0005940178.tif 000033
【図２３】
0005940178.tif 000034
【図２４】
0005940178.tif 000035
【図２５】
0005940178.tif 000036